(57)【特許請求の範囲】
【請求項１】
電力系統に接続された充電と放電とを繰り返す複数の蓄電装置を制御する蓄電装置制御装置であって、
それぞれが固有の充電量まで充電または固有の放電量まで放電を行う前記複数の蓄電装置のうち、前記固有の放電量まで放電過程の蓄電装置である放電装置を識別する放電装置識別情報と、前記固有の充電量まで充電過程の蓄電装置である充電装置を識別する充電装置識別情報とを取得する蓄電情報取得部と、
前記電力系統が前記放電装置から供給を受ける必要がある電力値である放電電力値、または前記電力系統が前記充電装置へ供給する必要がある電力値である充電電力値を取得する制御量取得部と、
前記制御量取得部が前記放電電力値を取得した場合に、前記放電装置識別情報で示される前記放電装置に前記放電電力値の電力を放電させる放電制御信号を生成し、前記制御量取得部が前記充電電力値を取得した場合に、前記充電装置識別情報で示される充電装置に前記充電電力値の電力を充電させる充電制御信号を生成する制御信号生成部と、
前記放電制御信号が生成された場合に、前記電力系統に前記放電電力値の電力を放電するように、前記放電制御信号を前記放電装置に送信し、前記充電制御信号が生成された場合に、前記電力系統から前記充電電力値の電力を充電するように、前記充電制御信号を前記充電装置に送信する制御信号送信部と
を備える蓄電装置制御装置。
【請求項２】
前記蓄電情報取得部は、さらに、前記放電装置識別情報で示される１以上の放電装置の定格出力の合計値と、前記充電装置識別情報で示される１以上の充電装置の定格出力の合計値とを取得し、
前記制御信号生成部は、前記放電装置の定格出力の合計値に対する前記放電電力値の割合を前記放電制御信号として生成し、前記充電装置の定格出力の合計値に対する前記充電電力値の割合を前記充電制御信号として生成し、
前記制御信号送信部は、前記放電制御信号を全ての前記放電装置に送信し、前記充電制御信号を全ての前記充電装置に送信する
請求項１に記載の蓄電装置制御装置。
【請求項３】
前記制御量取得部は、前記電力系統の周波数制御のための系統電力の調整値として、前記放電電力値または前記充電電力値を所定の周期で取得し、
前記制御信号生成部は、前記制御量取得部が前記放電電力値を取得した期間である放電期間に対応させて前記放電制御信号を生成し、前記制御量取得部が前記充電電力値を取得した期間である充電期間に対応させて前記充電制御信号を生成し、
前記制御信号送信部は、前記放電期間に前記電力系統に前記放電電力値の電力を放電するように、前記放電制御信号を前記放電装置に送信し、前記充電期間に前記電力系統から前記充電電力値の電力を充電するように、前記充電制御信号を前記充電装置に送信する
請求項１または２に記載の蓄電装置制御装置。
【請求項４】
前記蓄電情報取得部は、前記放電装置である第一蓄電装置が前記固有の放電量まで放電された場合に、前記第一蓄電装置を識別する識別情報として充電装置識別情報を取得し、前記充電装置である第二蓄電装置が前記固有の充電量まで充電された場合に、前記第二蓄電装置を識別する識別情報として放電装置識別情報を取得する
請求項１〜３のいずれか１項に記載の蓄電装置制御装置。
【請求項５】
前記制御信号生成部は、さらに、前記放電装置または前記充電制御信号に従った充放電が行われない不参加装置が前記充電装置に切り替わる場合に、当該放電装置または当該不参加装置を前記充電装置に切り替える充電切替信号を生成し、前記充電装置または前記不参加装置が前記放電装置に切り替わる場合に、当該充電装置または当該不参加装置を当該放電装置に切り替える放電切替信号を生成し、前記放電装置または前記充電装置が前記不参加装置に切り替わる場合に、当該放電装置または当該充電装置を当該不参加装置に切り替える不参加切替信号を生成し、
前記制御信号送信部は、さらに、前記充電切替信号が生成された場合に、前記充電切替信号を切り替えられる前記放電装置または前記不参加装置に送信し、前記放電切替信号が生成された場合に、前記放電切替信号を切り替えられる前記充電装置または前記不参加装置に送信し、前記不参加切替信号が生成された場合に、前記不参加切替信号を切り替えられる前記放電装置または前記充電装置に送信し、
前記蓄電情報取得部は、前記充電切替信号を受信することで充電装置に切り替えられた蓄電装置を識別する識別情報として充電装置識別情報を取得し、前記放電切替信号を受信することで放電装置に切り替えられた蓄電装置を識別する識別情報として放電装置識別情報を取得し、前記不参加切替信号を受信することで不参加装置に切り替えられた蓄電装置を識別する識別情報として不参加装置識別情報を取得する
請求項１〜４のいずれか１項に記載の蓄電装置制御装置。
【請求項６】
前記蓄電情報取得部は、さらに、蓄電装置の寿命が最長になる充電深度及び放電深度を示す充放電深度情報を取得し、
前記制御信号生成部は、前記放電装置が前記充放電深度情報で示される放電深度まで放電された場合に、前記充電切替信号を生成し、前記充電装置が前記充放電深度情報で示される充電深度まで充電された場合に、前記放電切替信号を生成する
請求項５に記載の蓄電装置制御装置。
【請求項７】
前記蓄電情報取得部は、充電深度と放電深度とから得られる充放電量に充放電可能回数であるサイクル寿命を乗じた値が最大になる場合の蓄電装置の充電深度及び放電深度を、当該蓄電装置の寿命が最長になる充電深度及び放電深度として、前記充放電深度情報を取得する
請求項６に記載の蓄電装置制御装置。
【請求項８】
前記制御信号生成部は、さらに、前記充電制御信号に従った充電では前記充電装置である第三蓄電装置が所定の期間内に前記固有の充電量まで充電されないことが予測される場合に、前記第三蓄電装置を前記充電制御信号に従った充電が行われない不参加装置に切り替える不参加切替信号を生成するとともに、前記第三蓄電装置を、前記所定の期間内に前記固有の充電量まで充電させる急速充電制御信号を生成し、
前記制御信号送信部は、さらに、前記不参加切替信号及び前記急速充電制御信号が生成された場合に、前記不参加切替信号及び前記急速充電制御信号を前記第三蓄電装置に送信し、
前記蓄電情報取得部は、前記不参加切替信号を受信することで不参加装置に切り替えられた前記第三蓄電装置を識別する識別情報として不参加装置識別情報を取得する
請求項１〜７のいずれか１項に記載の蓄電装置制御装置。
【請求項９】
前記蓄電情報取得部は、さらに、
前記放電装置が放電可能な電力量の合計値を示す放電可能電力量情報と、前記充電装置が充電可能な電力量の合計値を示す充電可能電力量情報とを取得するとともに、
前記放電装置が前記固有の放電量まで放電された後に充電装置に切り替わるか否かを示す情報、または前記充電装置が前記固有の充電量まで充電された後に放電装置に切り替わるか否かを示す情報である遷移情報を取得する
請求項１〜８のいずれか１項に記載の蓄電装置制御装置。
【請求項１０】
電力系統に接続され、通信ネットワークを介して蓄電装置制御装置によって制御される蓄電装置であって、
蓄電池と、前記蓄電池を固有の充電量まで充電または固有の放電量まで放電させる蓄電制御部とを備え、
前記蓄電制御部は、
前記蓄電装置が、前記固有の放電量まで放電過程の蓄電装置である放電装置、前記固有の充電量まで充電過程の蓄電装置である充電装置、及び前記蓄電装置制御装置に制御されない蓄電装置である不参加装置のいずれの装置であるかを識別する識別情報を、前記蓄電装置制御装置に送信する蓄電情報送信部と、
前記識別情報を受信した前記蓄電装置制御装置から、前記電力系統が前記放電装置から供給を受ける必要がある電力値の電力を前記蓄電池に放電させるための放電制御信号、または前記電力系統が前記充電装置へ供給する必要がある電力値の電力を前記蓄電池に充電させるための充電制御信号を取得する制御信号取得部と、
取得された前記放電制御信号または前記充電制御信号に従って、前記蓄電池が放電する放電電力値または充電する充電電力値を示す充放電信号を生成する充放電信号生成部と、
当該放電電力値または当該充電電力値の電力を前記蓄電池に充放電させるために、生成された前記充放電信号を前記蓄電池に送信する充放電信号送信部と、
前記蓄電装置が前記放電装置、前記充電装置及び前記不参加装置のいずれの装置であるかを識別する前記識別情報を切り替える切替部とを備える
蓄電装置。
【請求項１１】
前記切替部は、前記放電装置または前記不参加装置が前記充電装置に切り替わる場合に、当該放電装置または当該不参加装置を識別する識別情報から前記充電装置を識別する識別情報に切り替え、前記充電装置または前記不参加装置が前記放電装置に切り替わる場合に、当該充電装置または当該不参加装置を識別する識別情報から当該放電装置を識別する識別情報に切り替え、前記放電装置または前記充電装置が前記不参加装置に切り替わる場合に、当該放電装置または当該充電装置を識別する識別情報から当該不参加装置を識別する識別情報に切り替え、
前記蓄電情報送信部は、切り替えられた前記識別情報を前記蓄電装置制御装置に送信する
請求項１０に記載の蓄電装置。
【請求項１２】
前記切替部は、前記充電制御信号に従った充電では前記蓄電池が所定の期間内に前記固有の充電量まで充電されないことが予測される場合に、前記識別情報を前記不参加装置を識別する識別情報に切り替え、
前記蓄電情報送信部は、切り替えられた前記識別情報を前記蓄電装置制御装置に送信し、
前記充放電信号生成部は、前記蓄電池を、前記所定の期間内に前記固有の充電量まで充電させる前記充放電信号を生成し、
前記充放電信号送信部は、生成された前記充放電信号を前記蓄電池に送信する
請求項１０または１１に記載の蓄電装置。
【請求項１３】
複数の請求項１０〜１２のいずれか１項に記載の蓄電装置と、
前記複数の蓄電装置を制御する請求項１〜９のいずれか１項に記載の蓄電装置制御装置と
を備える蓄電装置制御システム。
【請求項１４】
電力系統に接続された充電と放電とを繰り返す複数の蓄電装置を制御する蓄電装置制御方法であって、
それぞれが固有の充電量まで充電または固有の放電量まで放電を行う前記複数の蓄電装置のうち、前記固有の放電量まで放電過程の蓄電装置である放電装置を識別する放電装置識別情報と、前記固有の充電量まで充電過程の蓄電装置である充電装置を識別する充電装置識別情報とを取得する蓄電情報取得ステップと、
前記電力系統が前記放電装置から供給を受ける必要がある電力値である放電電力値、または前記電力系統が前記充電装置へ供給する必要がある電力値である充電電力値を取得する制御量取得ステップと、
前記制御量取得ステップで前記放電電力値が取得された場合に、前記放電装置識別情報で示される前記放電装置に前記放電電力値の電力を放電させる放電制御信号を生成し、前記制御量取得ステップで前記充電電力値が取得された場合に、前記充電装置識別情報で示される充電装置に前記充電電力値の電力を充電させる充電制御信号を生成する制御信号生成ステップと、
前記放電制御信号が生成された場合に、前記電力系統に前記放電電力値の電力を放電するように、前記放電制御信号を前記放電装置に送信し、前記充電制御信号が生成された場合に、前記電力系統から前記充電電力値の電力を充電するように、前記充電制御信号を前記充電装置に送信する制御信号送信ステップと
を含む蓄電装置制御方法。
【請求項１５】
請求項１４に記載の蓄電装置制御方法に含まれるステップをコンピュータに実行させるプログラム。
【発明の詳細な説明】
【技術分野】
【０００１】
本発明は、電力系統に接続された充電と放電とを繰り返す複数の蓄電装置を制御する蓄電装置制御装置に関する。
【背景技術】
【０００２】
近年、二次電池などの蓄電装置を活用した需給制御装置が注目されている。そして、このような需給制御装置においては、蓄電装置の長寿命化を図りつつ蓄電装置を制御することが重要である。
【０００３】
このため、従来、蓄電装置の寿命への悪影響を軽減できる制御装置が提案されている（例えば、特許文献１参照）。この制御装置では、蓄電装置の劣化状態または使用期間に応じて、個別に充放電レベル（放電深度）を設定することで、蓄電装置の寿命への悪影響を軽減している。
【先行技術文献】
【特許文献】
【０００４】
【特許文献１】特開２００３−２４４８５４号公報
【発明の概要】
【発明が解決しようとする課題】
【０００５】
しかしながら、上記従来の制御装置には、以下の２つの課題がある。
【０００６】
第１の課題は、上記従来の制御装置では、需給制御専用の蓄電装置を設置する必要があるという課題である。ここで、蓄電装置は高価であり、大きな設置スペースを必要とするため、蓄電装置の設置台数を低減することが望ましい。このため、上記従来の制御装置では、コストの増加と設置スペースの増加を招く需給制御専用の蓄電装置を設置する必要がある、という課題がある。
【０００７】
第２の課題は、上記従来の制御装置では、電力系統の需給制御の方法によっては蓄電装置の長寿命化を図ることができない場合があるという課題である。ここで、蓄電装置を用いて電力系統の周波数制御を行う場合には、短期間に充放電を繰り返すように蓄電装置を制御する必要がある。そして、短期間に充放電を繰り返す場合は、所望の充電深度及び放電深度まで充放電を行うことができず、蓄電装置の寿命が短くなる場合がある。このため、上記従来の制御装置では、蓄電装置の制御方法によっては、蓄電装置の長寿命化を図ることができない場合があるという課題がある。
【０００８】
このように、上記従来の制御装置では、需給制御専用の蓄電装置を設置する必要があるとともに、蓄電装置の長寿命化を図ることができない場合があるという課題がある。
【０００９】
そこで、本発明は、このような課題に鑑みてなされたものであり、蓄電装置を用いて電力系統の需給制御を行う場合に、需給制御専用の蓄電装置を必要とせず、蓄電装置の長寿命化を図ることができる蓄電装置制御装置を提供することを目的とする。
【課題を解決するための手段】
【００１０】
上記目的を達成するために、本発明に係る蓄電装置制御装置は、電力系統に接続された充電と放電とを繰り返す複数の蓄電装置を制御する蓄電装置制御装置であって、それぞれが固有の充電量まで充電または固有の放電量まで放電を行う前記複数の蓄電装置のうち、前記固有の放電量まで放電過程の蓄電装置である放電装置を識別する放電装置識別情報と、前記固有の充電量まで充電過程の蓄電装置である充電装置を識別する充電装置識別情報とを取得する蓄電情報取得部と、前記電力系統が前記放電装置から供給を受ける必要がある電力値である放電電力値、または前記電力系統が前記充電装置へ供給する必要がある電力値である充電電力値を取得する制御量取得部と、前記制御量取得部が前記放電電力値を取得した場合に、前記放電装置識別情報で示される前記放電装置に前記放電電力値の電力を放電させる放電制御信号を生成し、前記制御量取得部が前記充電電力値を取得した場合に、前記充電装置識別情報で示される充電装置に前記充電電力値の電力を充電させる充電制御信号を生成する制御信号生成部と、前記放電制御信号が生成された場合に、前記電力系統に前記放電電力値の電力を放電するように、前記放電制御信号を前記放電装置に送信し、前記充電制御信号が生成された場合に、前記電力系統から前記充電電力値の電力を充電するように、前記充電制御信号を前記充電装置に送信する制御信号送信部とを備える。
【００１１】
これによれば、電力系統が供給を受ける必要がある電力を放電装置が放電するように、放電制御信号を放電装置に送信し、電力系統が供給する必要がある電力を充電装置が電力系統から充電するように、充電制御信号を充電装置に送信する。ここで、蓄電装置は、固有の充電量まで充電または固有の放電量まで放電を行う装置であり、放電装置とは、固有の放電量まで放電を行っている放電過程の蓄電装置であり、充電装置とは、固有の充電量まで充電を行っている充電過程の蓄電装置である。このため、例えば蓄電装置として需要家に設置された二次電池を活用したり、充電装置として電気自動車の蓄電池を活用したりするなど、蓄電装置を本来の用途の利便性を損ねることなく、活用することができる。これにより、需給制御専用の蓄電装置を必要とせず、電力系統の需給制御を行うことができる。また、蓄電装置は、固有の充電量または固有の放電量まで充電または放電を行うため、寿命を考慮して、最適な固有の充電量及び固有の放電量を選択することで、最適な充電深度及び放電深度での充放電を行うことができ、かつ、充放電を繰り返す回数を減少させることができるので、蓄電装置の長寿命化を図ることができる。したがって、蓄電装置を用いて電力系統の需給制御を行う場合に、需給制御専用の蓄電装置を必要とせず、蓄電装置の長寿命化を図ることができる。
【００１２】
また、好ましくは、前記蓄電情報取得部は、さらに、前記放電装置識別情報で示される１以上の放電装置の定格出力の合計値と、前記充電装置識別情報で示される１以上の充電装置の定格出力の合計値とを取得し、前記制御信号生成部は、前記放電装置の定格出力の合計値に対する前記放電電力値の割合を前記放電制御信号として生成し、前記充電装置の定格出力の合計値に対する前記充電電力値の割合を前記充電制御信号として生成し、前記制御信号送信部は、前記放電制御信号を全ての前記放電装置に送信し、前記充電制御信号を全ての前記充電装置に送信する。
【００１３】
これによれば、放電装置の定格出力の合計値に対する放電電力値の割合を放電制御信号として生成し、当該放電制御信号を全ての放電装置に送信する。また、充電装置の定格出力の合計値に対する充電電力値の割合を充電制御信号として生成し、当該充電制御信号を全ての充電装置に送信する。つまり、定格出力に対する割合を制御信号として生成することで、各放電装置または各充電装置に応じた制御信号を個別に生成する必要がなく、各放電装置または各充電装置に一律に当該制御信号を送信することができる。このため、容易に制御信号を生成及び送信して、電力系統の需給制御を行うことができる。
【００１４】
また、好ましくは、前記制御量取得部は、前記電力系統の周波数制御のための系統電力の調整値として、前記放電電力値または前記充電電力値を所定の周期で取得し、前記制御信号生成部は、前記制御量取得部が前記放電電力値を取得した期間である放電期間に対応させて前記放電制御信号を生成し、前記制御量取得部が前記充電電力値を取得した期間である充電期間に対応させて前記充電制御信号を生成し、前記制御信号送信部は、前記放電期間に前記電力系統に前記放電電力値の電力を放電するように、前記放電制御信号を前記放電装置に送信し、前記充電期間に前記電力系統から前記充電電力値の電力を充電するように、前記充電制御信号を前記充電装置に送信する。
【００１５】
これによれば、電力系統の周波数制御のための系統電力の調整値として、放電電力値または充電電力値を所定の周期で取得し、放電電力値を取得した期間に電力系統に放電電力値の電力を放電するように放電装置に制御信号を送信し、充電電力値を取得した期間に電力系統から充電電力値の電力を充電するように充電装置に制御信号を送信する。これにより、蓄電装置を用いて、電力系統の周波数制御のための系統電力の調整を行うことができるので、蓄電装置が充電している期間、または蓄電装置が放電している期間に、アンシラリーサービスを提供することができる。また、例えば電気自動車の蓄電池を用いる場合は、充電している期間のみアンシラリーサービスを提供するという制御を行うことができる。
【００１６】
また、好ましくは、前記蓄電情報取得部は、前記放電装置である第一蓄電装置が前記固有の放電量まで放電された場合に、前記第一蓄電装置を識別する識別情報として充電装置識別情報を取得し、前記充電装置である第二蓄電装置が前記固有の充電量まで充電された場合に、前記第二蓄電装置を識別する識別情報として放電装置識別情報を取得する。
【００１７】
これによれば、第一蓄電装置が固有の放電量まで放電された場合に、第一蓄電装置を識別する識別情報として充電装置識別情報を取得し、第二蓄電装置が固有の充電量まで充電された場合に、第二蓄電装置を識別する識別情報として放電装置識別情報を取得する。つまり、蓄電装置は、放電が完了した場合には充電するように切り替え、充電が完了した場合には放電するように切り替える機能を有している。これにより、蓄電装置から放電される電力値の合計または蓄電装置へ充電される電力値の合計が極端に変化することがなく、安定して電力系統の需給制御を行うことができる。
【００１８】
また、好ましくは、前記制御信号生成部は、さらに、前記放電装置または前記充電制御信号に従った充放電が行われない不参加装置が前記充電装置に切り替わる場合に、当該放電装置または当該不参加装置を前記充電装置に切り替える充電切替信号を生成し、前記充電装置または前記不参加装置が前記放電装置に切り替わる場合に、当該充電装置または当該不参加装置を当該放電装置に切り替える放電切替信号を生成し、前記放電装置または前記充電装置が前記不参加装置に切り替わる場合に、当該放電装置または当該充電装置を当該不参加装置に切り替える不参加切替信号を生成し、前記制御信号送信部は、さらに、前記充電切替信号が生成された場合に、前記充電切替信号を切り替えられる前記放電装置または前記不参加装置に送信し、前記放電切替信号が生成された場合に、前記放電切替信号を切り替えられる前記充電装置または前記不参加装置に送信し、前記不参加切替信号が生成された場合に、前記不参加切替信号を切り替えられる前記放電装置または前記充電装置に送信し、前記蓄電情報取得部は、前記充電切替信号を受信することで充電装置に切り替えられた蓄電装置を識別する識別情報として充電装置識別情報を取得し、前記放電切替信号を受信することで放電装置に切り替えられた蓄電装置を識別する識別情報として放電装置識別情報を取得し、前記不参加切替信号を受信することで不参加装置に切り替えられた蓄電装置を識別する識別情報として不参加装置識別情報を取得する。
【００１９】
これによれば、蓄電装置の充放電を切り替える切替信号を生成し、蓄電装置に送信して蓄電装置の充放電を切り替えることで、充電装置識別情報、放電装置識別情報または不参加装置識別情報を取得する。これにより、蓄電装置が充放電を切り替える機能を有していなくとも、蓄電装置の充放電を切り替えることができる。これにより、蓄電装置から放電される電力値の合計または蓄電装置へ充電される電力値の合計が極端に変化することがなく、安定して電力系統の需給制御を行うことができる。
【００２０】
また、好ましくは、前記蓄電情報取得部は、さらに、蓄電装置の寿命が最長になる充電深度及び放電深度を示す充放電深度情報を取得し、前記制御信号生成部は、前記放電装置が前記充放電深度情報で示される放電深度まで放電された場合に、前記充電切替信号を生成し、前記充電装置が前記充放電深度情報で示される充電深度まで充電された場合に、前記放電切替信号を生成する。
【００２１】
これによれば、蓄電装置の寿命が最長になる放電深度まで放電された場合、または蓄電装置の寿命が最長になる充電深度まで充電された場合に、充電切替信号を生成する。つまり、寿命が最長になる最適な充電深度及び放電深度で充放電を切り替えることで、蓄電装置の長寿命化を図ることができる。
【００２２】
また、好ましくは、前記蓄電情報取得部は、充電深度と放電深度とから得られる充放電量に充放電可能回数であるサイクル寿命を乗じた値が最大になる場合の蓄電装置の充電深度及び放電深度を、当該蓄電装置の寿命が最長になる充電深度及び放電深度として、前記充放電深度情報を取得する。
【００２３】
これによれば、充放電量にサイクル寿命を乗じた値が最大になる場合の充電深度及び放電深度を、寿命が最長になる充電深度及び放電深度として充放電深度情報を取得する。これにより、容易に寿命が最長になる充電深度及び放電深度を決定して、蓄電装置の長寿命化を図ることができる。
【００２４】
また、好ましくは、前記制御信号生成部は、さらに、前記充電制御信号に従った充電では前記充電装置である第三蓄電装置が所定の期間内に前記固有の充電量まで充電されないことが予測される場合に、前記第三蓄電装置を前記充電制御信号に従った充電が行われない不参加装置に切り替える不参加切替信号を生成するとともに、前記第三蓄電装置を、前記所定の期間内に前記固有の充電量まで充電させる急速充電制御信号を生成し、前記制御信号送信部は、さらに、前記不参加切替信号及び前記急速充電制御信号が生成された場合に、前記不参加切替信号及び前記急速充電制御信号を前記第三蓄電装置に送信し、前記蓄電情報取得部は、前記不参加切替信号を受信することで不参加装置に切り替えられた前記第三蓄電装置を識別する識別情報として不参加装置識別情報を取得する。
【００２５】
これによれば、充電制御信号に従った充電では所定の充電が行われないことが予測される場合に、充電装置を充電制御信号に従った充電が行われない不参加装置に切り替える不参加切替信号を生成するとともに、当該充電装置に所定の充電をさせる急速充電制御信号を生成し、当該信号を当該充電装置に送信して、当該充電装置を識別する不参加装置識別情報を取得する。例えば、電気自動車の蓄電池を充電制御信号に従って充電している場合に、充電制御信号に従った充電では、ユーザが使用したい時刻に充電が完了しない場合がある。この場合には、電気自動車の蓄電池を充電制御信号に従って充電させることを中止し、ユーザが使用したい時刻に充電が完了するように、急速に充電させる。これにより、電気自動車の蓄電池などの充電装置を所定の期間内に固有の充電量まで充電することができるため、本来の用途の利便性を損ねることなく、当該充電装置を電力系統の需給制御に活用することができる。
【００２６】
また、好ましくは、前記蓄電情報取得部は、さらに、前記放電装置が放電可能な電力量の合計値を示す放電可能電力量情報と、前記充電装置が充電可能な電力量の合計値を示す充電可能電力量情報とを取得するとともに、前記放電装置が前記固有の放電量まで放電された後に充電装置に切り替わるか否かを示す情報、または前記充電装置が前記固有の充電量まで充電された後に放電装置に切り替わるか否かを示す情報である遷移情報を取得する。
【００２７】
これによれば、放電装置が放電可能な放電可能電力量情報と、充電装置が充電可能な充電可能電力量情報と、放電装置または充電装置の切り替わり先を示す遷移情報とを取得する。つまり、放電可能電力量情報と充電可能電力量情報と遷移情報とから、蓄電装置が電力系統の需給制御に利用できる充放電量や充放電時間を把握することができる。このため、当該情報などを用いて、従来発電機と蓄電装置との制御分担の決定を行うことができる。これにより、決定した制御分担に応じた放電電力値または充電電力値を取得することができ、電力系統の需給制御を行うことができる。
【００２８】
また、上記目的を達成するために、本発明に係る蓄電装置は、電力系統に接続され、通信ネットワークを介して蓄電装置制御装置によって制御される蓄電装置であって、蓄電池と、前記蓄電池を固有の充電量まで充電または固有の放電量まで放電させる蓄電制御部とを備え、前記蓄電制御部は、前記蓄電装置が、前記固有の放電量まで放電過程の蓄電装置である放電装置、前記固有の充電量まで充電過程の蓄電装置である充電装置、及び前記蓄電装置制御装置に制御されない蓄電装置である不参加装置のいずれの装置であるかを識別する識別情報を、前記蓄電装置制御装置に送信する蓄電情報送信部と、前記識別情報を受信した前記蓄電装置制御装置から、前記電力系統が前記放電装置から供給を受ける必要がある電力値の電力を前記蓄電池に放電させるための放電制御信号、または前記電力系統が前記充電装置へ供給する必要がある電力値の電力を前記蓄電池に充電させるための充電制御信号を取得する制御信号取得部と、取得された前記放電制御信号または前記充電制御信号に従って、前記蓄電池が放電する放電電力値または充電する充電電力値を示す充放電信号を生成する充放電信号生成部と、当該放電電力値または当該充電電力値の電力を前記蓄電池に充放電させるために、生成された前記充放電信号を前記蓄電池に送信する充放電信号送信部と、前記蓄電装置が前記放電装置、前記充電装置及び前記不参加装置のいずれの装置であるかを識別する前記識別情報を切り替える切替部とを備える。
【００２９】
これによれば、蓄電装置が放電装置、充電装置及び不参加装置のいずれの装置であるかを識別する識別情報を蓄電装置制御装置に送信し、当該蓄電装置制御装置から放電制御信号または充電制御信号を取得する。そして、取得された放電制御信号または充電制御信号に従って充放電信号を生成し、当該充放電信号を蓄電池に送信する。ここで、蓄電装置は、固有の充電量まで充電または固有の放電量まで放電を行う装置であり、放電装置とは、固有の放電量まで放電を行っている放電過程の蓄電装置であり、充電装置とは、固有の充電量まで充電を行っている充電過程の蓄電装置である。このため、例えば蓄電装置として需要家に設置された二次電池を活用したり、充電装置として電気自動車の蓄電池を活用したりするなど、蓄電装置を本来の用途の利便性を損ねることなく、活用することができる。これにより、需給制御専用の蓄電装置を必要とせず、電力系統の需給制御を行うことができる。また、蓄電装置は、固有の充電量または固有の放電量まで充電または放電を行うため、寿命を考慮して、最適な固有の充電量及び固有の放電量を選択することで、最適な充電深度及び放電深度での充放電を行うことができ、かつ、充放電を繰り返す回数を減少させることができるので、蓄電装置の長寿命化を図ることができる。したがって、蓄電装置を用いて電力系統の需給制御を行う場合に、需給制御専用の蓄電装置を必要とせず、蓄電装置の長寿命化を図ることができる。
【００３０】
また、好ましくは、前記切替部は、前記放電装置または前記不参加装置が前記充電装置に切り替わる場合に、当該放電装置または当該不参加装置を識別する識別情報から前記充電装置を識別する識別情報に切り替え、前記充電装置または前記不参加装置が前記放電装置に切り替わる場合に、当該充電装置または当該不参加装置を識別する識別情報から当該放電装置を識別する識別情報に切り替え、前記放電装置または前記充電装置が前記不参加装置に切り替わる場合に、当該放電装置または当該充電装置を識別する識別情報から当該不参加装置を識別する識別情報に切り替え、前記蓄電情報送信部は、切り替えられた前記識別情報を前記蓄電装置制御装置に送信する。
【００３１】
これによれば、放電装置、充電装置または不参加装置が、他の装置に切り替わる場合に、切り替わり先の装置の識別情報を蓄電装置制御装置に送信する。例えば、蓄電池が固有の放電量まで放電された場合に、識別情報を放電装置から充電装置を識別する識別情報に切り替え、蓄電池が固有の充電量まで充電された場合に、識別情報を充電装置から放電装置を識別する識別情報に切り替えて、当該識別情報を蓄電装置制御装置に送信する。これにより、蓄電装置制御装置が充放電を切り替える機能を有していなくとも、蓄電装置の充放電を切り替えることができる。
【００３２】
また、好ましくは、前記切替部は、前記充電制御信号に従った充電では前記蓄電池が所定の期間内に前記固有の充電量まで充電されないことが予測される場合に、前記識別情報を前記不参加装置を識別する識別情報に切り替え、前記蓄電情報送信部は、切り替えられた前記識別情報を前記蓄電装置制御装置に送信し、前記充放電信号生成部は、前記蓄電池を、前記所定の期間内に前記固有の充電量まで充電させる前記充放電信号を生成し、前記充放電信号送信部は、生成された前記充放電信号を前記蓄電池に送信する。
【００３３】
これによれば、蓄電装置制御装置からの充電制御信号に従った充電では蓄電池が所定の期間内に固有の充電量まで充電されないことが予測される場合に、識別情報を不参加装置を識別する識別情報に切り替えて、当該識別情報を蓄電装置制御装置に送信する。また、蓄電池を、所定の期間内に固有の充電量まで充電させる充放電信号を蓄電池に送信する。例えば、電気自動車の蓄電池を充電制御信号に従って充電している場合に、充電制御信号に従った充電では、ユーザが使用したい時刻に充電が完了しない場合がある。この場合には、電気自動車の蓄電池を充電制御信号に従って充電させることを中止し、ユーザが使用したい時刻に充電が完了するように、急速に充電させる。これにより、電気自動車の蓄電池などの充電装置を所定の期間内に固有の充電量まで充電することができるため、本来の用途の利便性を損ねることなく、当該充電装置を電力系統の需給制御に活用することができる。
【００３４】
なお、本発明は、このような蓄電装置制御装置または蓄電装置として実現することができるだけでなく、当該蓄電装置制御装置と複数の当該蓄電装置とを備えた蓄電装置制御システムとして実現することもできる。また、このような蓄電装置制御装置または蓄電装置が備える各処理部が行う処理をステップとする蓄電装置制御方法または蓄電方法として実現することもできる。また、蓄電装置制御方法または蓄電方法に含まれる特徴的な処理をコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。また、蓄電装置制御装置または蓄電装置に含まれる特徴的な処理部を備える集積回路として実現したりすることもできる。
【発明の効果】
【００３５】
本発明により、蓄電装置を制御する蓄電装置制御装置において、需給制御専用の蓄電装置を必要とせず、蓄電装置の長寿命化を図ることができる。
【図面の簡単な説明】
【００３６】
【図１】本発明の実施の形態１に係る蓄電装置制御装置を備える蓄電装置制御システムの構成を示す図である。
【図２】本発明の実施の形態１に係る蓄電装置を充電装置、放電装置または不参加装置に分類した場合の蓄電装置制御システムの構成を示す図である。
【図３】本発明の実施の形態１に係る蓄電装置制御装置及び蓄電装置の機能構成を示すブロック図である。
【図４】本発明の実施の形態１に係る蓄電情報テーブルの一例を示す図である。
【図５】本発明の実施の形態１に係る蓄電データテーブルの一例を示す図である。
【図６】本発明の実施の形態１に係るユーザによって設定される充電深度及び放電深度を説明する図である。
【図７】本発明の実施の形態１に係る蓄電装置制御装置の動作の一例を示すフローチャートである。
【図８】本発明の実施の形態１に係る蓄電装置の動作の一例を示すフローチャートである。
【図９】本発明の実施の形態１に係る蓄電装置制御装置の蓄電情報取得部が取得する情報を説明する図である。
【図１０】本発明の実施の形態１に係る蓄電装置制御装置の制御量取得部が取得する制御量を説明する図である。
【図１１】本発明の実施の形態１に係る蓄電装置制御装置の制御信号送信部が放電指令または充電指令を行うことを説明する図である。
【図１２】本発明の実施の形態１に係る切替部が行う処理を説明する図である。
【図１３】本発明の実施の形態１に係る蓄電装置制御装置が電力系統の需給制御を行うことによる効果を説明する図である。
【図１４】本発明の実施の形態２に係る蓄電装置制御装置の動作の一例を示すフローチャートである。
【図１５】本発明の実施の形態４に係る蓄電装置制御装置が行う処理を説明する図である。
【図１６】本発明の実施の形態４に係る制御量取得部が取得する放電電力値または充電電力値を説明する図である。
【発明を実施するための形態】
【００３７】
以下、図面を参照しながら、本発明の実施の形態に係る蓄電装置制御装置について説明する。
【００３８】
（実施の形態１）
図１は、本発明の実施の形態１に係る蓄電装置制御装置１００を備える蓄電装置制御システム１０の構成を示す図である。
【００３９】
同図に示すように、蓄電装置制御システム１０は、蓄電装置制御装置１００及び蓄電装置２００を備えている。なお、蓄電装置制御装置１００及び蓄電装置２００は、通信ネットワーク３１０を介して接続されており、蓄電装置２００は、電力系統３２０に電気的に接続されて設置されている。
【００４０】
ここで、電力系統３２０は、電力を使用する負荷機器に電力を供給するための電力ネットワークであり、例えば、オフィスビル３２１、一般家庭３２２、一般家庭３２３及び工場３２４などに設置されている負荷機器に接続され、当該負荷機器に電力を供給する。なお、同図では、オフィスビル３２１、一般家庭３２３及び工場３２４には、太陽光発電設備が設置されているが、電力系統３２０にはどのような発電設備や負荷機器が接続されていても構わない。
【００４１】
蓄電装置制御装置１００は、通信ネットワーク３１０を介して、蓄電装置２００を制御することで、電力系統３２０の需給制御を行う装置である。つまり、蓄電装置制御装置１００は、電力系統３２０の周波数制御のための系統電力の調整を行う、いわゆるアンシラリーサービスを提供するコンピュータである。
【００４２】
ここで、蓄電装置制御装置１００は、通信ネットワーク３１０に接続され商用電力系統全体の需給制御を行う従来のＥＭＳ（中央給電指令所が有する需給制御システム）である従来ＥＭＳ４００と連携し、情報のやりとりを行う。なお、蓄電装置制御装置１００は、独立した装置ではなく、従来ＥＭＳ４００の機能の一部として構成されていてもよい。
【００４３】
また、この蓄電装置制御装置１００は、専用のコンピュータシステム、またはパーソナルコンピュータ等の汎用のコンピュータシステムがプログラムを実行することによって実現される。蓄電装置制御装置１００の詳細な説明については、後述する。
【００４４】
蓄電装置２００は、充電と放電とを繰り返す複数の蓄電装置を備えている。具体的には、蓄電装置２００は、当該複数の蓄電装置として、二次電池２０１ａ〜２０１ｇ及び電気自動車用蓄電池２０２ａ〜２０２ｅを備えている。なお、蓄電装置２００が備える二次電池２０１ａ〜２０１ｇ及び電気自動車用蓄電池２０２ａ〜２０２ｅの台数は、特に限定されず、何台であってもよい。
【００４５】
二次電池２０１ａ〜２０１ｇは、電力系統３２０に接続されて設置されている二次電池である。つまり、二次電池２０１ａ〜２０１ｇは、電力系統３２０から供給される電力を充電し、電力系統３２０に電力を放電する蓄電装置である。
【００４６】
なお、二次電池２０１ａ〜２０１ｇは、電力系統３２０の需給制御専用の二次電池でなくともよく、どのような用途の二次電池であってもよい。例えば、同図に示す二次電池２０１ｆは、一般家庭３２３内に設置されており、ピークシフトや、瞬時電圧低下対策、停電補償、需要家側に設置されている分散型電源から発生する余剰電力の蓄電などの目的で設置されている二次電池である。また、二次電池２０１ｇは、工場３２４内に設置されており、二次電池２０１ｆと同様に、ピークシフトや、瞬時電圧低下対策、停電補償、需要家側に設置されている分散型電源から発生する余剰電力の蓄電などの目的で設置されている二次電池である。
【００４７】
電気自動車用蓄電池２０２ａ〜２０２ｅは、電気自動車に内蔵された蓄電池である。つまり、電気自動車用蓄電池２０２ａ〜２０２ｅは、電力系統３２０に接続された場合に、電力系統３２０から供給される電力を充電するとともに、電力系統３２０に電力を放電することもできることとする。
【００４８】
このように、蓄電装置２００に含まれる二次電池２０１ａ〜２０１ｅは、電力系統３２０の需給制御専用として設置されている蓄電装置であり、二次電池２０１ｆ、２０１ｇや電気自動車用蓄電池２０２ａ〜２０２ｅなどは、電力系統３２０の需給制御専用として設置されている蓄電装置ではなく、当該需給制御以外の目的で需要家が利用することを主として電力系統３２０に接続されている蓄電装置である。
【００４９】
そして、蓄電装置２００が備える複数の蓄電装置のそれぞれは、蓄電装置制御装置１００からの充放電指令に従い、固有の充電量まで充電または固有の放電量まで放電を行う。この固有の充電量または固有の放電量は、ユーザによって定められる各蓄電装置に固有の値であり、どのような値であってもよい。なお、固有の充電量及び固有の放電量は、蓄電装置の寿命が長くなり、かつ蓄電装置のアンシラリーサービス提供により得られる対価が多くなるように、ユーザによって定められる。
【００５０】
ここで、固有の放電量まで放電を行っている放電過程の蓄電装置を放電装置といい、固有の充電量まで充電を行っている充電過程の蓄電装置を充電装置という。つまり、蓄電装置２００は、固有の放電量まで放電されるまでは放電装置であり、固有の放電量まで放電された後は、放電装置から例えば充電装置に切り替わる。また、蓄電装置２００は、固有の充電量まで充電されるまでは充電装置であり、固有の充電量まで充電された後は、充電装置から例えば放電装置に切り替わる。
【００５１】
また、蓄電装置２００が備える複数の蓄電装置のうち、蓄電装置制御装置１００による電力系統３２０の需給制御の指示に従わない蓄電装置を、不参加装置という。例えば、電気自動車用蓄電池２０２ａ〜２０２ｅは、ユーザが使用するために電力系統３２０から切り離されたり、設定された時刻になったり、固有の充電量まで充電された場合などに、不参加装置に切り替わる。なお、当該電気自動車用蓄電池２０２ａ〜２０２ｅは、固有の充電量まで充電された場合でも、ユーザの選択により、放電装置に切り替わることでアンシラリーサービスを提供することにしてもよい。
【００５２】
つまり、放電装置は、固有の放電量まで放電された後に、充電装置に切り替わることもできるし、不参加装置に切り替わることもできる。また、充電装置も同様に、固有の充電量まで充電された後に、放電装置に切り替わることもできるし、不参加装置に切り替わることもできる。なお、いずれに切り替わるのかは、例えばユーザが定めることができる。
【００５３】
このように、蓄電装置２００が備える複数の蓄電装置のそれぞれは、充電装置、放電装置及び不参加装置のいずれかに分類される。このため、以下では、二次電池２０１ａ〜２０１ｇ及び電気自動車用蓄電池２０２ａ〜２０２ｅなどの蓄電装置２００が備える複数の蓄電装置を、充電装置、放電装置または不参加装置に分類して、説明を行う。
【００５４】
図２は、本発明の実施の形態１に係る蓄電装置２００を充電装置、放電装置または不参加装置に分類した場合の蓄電装置制御システム１０の構成を示す図である。
【００５５】
同図に示すように、蓄電装置２００は、ｍ台の放電装置１〜ｍ、ｎ台の充電装置１〜ｎ、及びｐ台の不参加装置１〜ｐに分類されている。ここで、放電群２１０は、ｍ台の放電装置１〜ｍの集まりであり、充電群２２０は、ｎ台の充電装置１〜ｎの集まりであり、不参加群２３０は、ｐ台の不参加装置１〜ｐの集まりである。
【００５６】
なお、蓄電装置２００は、充電装置から放電装置や不参加装置に切り替わったり、不参加装置から充電装置や放電装置に切り替わったりするため、放電群２１０、充電群２２０及び不参加群２３０に含まれる蓄電装置やその台数は、当該切り替わるごとに変化する。
【００５７】
そして、蓄電装置制御装置１００は、従来ＥＭＳからの指示に従い、通信ネットワーク３１０を介して、蓄電装置２００を制御する。
【００５８】
次に、蓄電装置制御装置１００の詳細な構成について、説明する。
【００５９】
図３は、本実施の形態１に係る蓄電装置制御装置１００及び蓄電装置２００の機能構成を示すブロック図である。
【００６０】
まず、蓄電装置制御装置１００の機能構成について説明する。
【００６１】
蓄電装置制御装置１００は、蓄電装置２００の制御を行うコンピュータである。同図に示すように、蓄電装置制御装置１００は、蓄電情報取得部１１０、制御量取得部１２０、制御信号生成部１３０、制御信号送信部１４０及び記憶部１５０を備えている。
【００６２】
蓄電情報取得部１１０は、通信ネットワーク３１０を介して、蓄電装置２００のうち、放電群２１０に含まれる放電装置を識別する放電装置識別情報と、充電群２２０に含まれる充電装置を識別する充電装置識別情報と、不参加群２３０に含まれる不参加装置を識別する不参加装置識別情報とを、蓄電装置２００から取得する。
【００６３】
また、蓄電情報取得部１１０は、放電装置である第一蓄電装置が固有の放電量まで放電された場合に、第一蓄電装置を識別する識別情報として充電装置識別情報を取得し、充電装置である第二蓄電装置が固有の充電量まで充電された場合に、第二蓄電装置を識別する識別情報として放電装置識別情報を取得する。つまり、固有の充放電量まで充放電された場合に、充電装置と放電装置とが切り替わるので、蓄電情報取得部１１０は、当該切り替わり後の識別情報を取得する。
【００６４】
例えば、放電装置がユーザにより設定された固有の放電量まで放電された場合に、当該放電装置は、次の遷移状態が充電ならば、充電装置に状態遷移する。また、同様に、充電装置がユーザにより設定された固有の充電量まで充電された場合に、当該充電装置は、次の遷移状態が放電ならば、放電装置に状態遷移する。このため、蓄電情報取得部１１０は、このような状態遷移後の識別情報を取得する。
【００６５】
また、蓄電情報取得部１１０は、さらに、放電装置識別情報で示される１以上の放電装置の定格出力の合計値である放電群定格総量と、充電装置識別情報で示される１以上の充電装置の定格出力の合計値である充電群定格総量とを取得する。つまり、蓄電情報取得部１１０は、放電群２１０に含まれる放電装置の定格出力の合計値と、充電群２２０に含まれる充電装置の定格出力の合計値とを取得する。
【００６６】
例えば、蓄電情報取得部１１０は、各蓄電装置から伝送されてきた個々の定格出力の値を取得して記憶部１５０に記憶させ、当該個々の定格出力の値を積算することで、放電群定格総量や充電群定格総量を取得する。
【００６７】
なお、蓄電情報取得部１１０は、放電装置識別情報、充電装置識別情報、不参加装置識別情報、放電群定格総量及び充電群定格総量を、所定の周期で取得する。なお、所定の周期とは、どのような周期であってもよいが、例えば、秒オーダー、分オーダー、時間オーダーの間隔などである。なお、蓄電情報取得部１１０は、放電装置識別情報、充電装置識別情報及び不参加装置識別情報については、所定の周期でなくとも、蓄電装置の識別情報が変化したときに取得することにしてもよい。
【００６８】
制御量取得部１２０は、電力系統３２０が放電装置から供給を受ける必要がある電力値である放電電力値、または電力系統３２０が充電装置へ供給する必要がある電力値である充電電力値を取得する。ここで、制御量取得部１２０は、電力系統３２０の周波数制御のための系統電力の調整値として、放電電力値または充電電力値を所定の周期で取得する。なお、所定の周期とは、どのような周期であってもよいが、例えば、秒オーダー、分オーダー、時間オーダーの間隔などである。
【００６９】
具体的には、従来ＥＭＳが、電力系統３２０から、「負荷の総量」、「発電の総量」、「連系線潮流」などの系統情報を取得することで、蓄電装置２００に求める放電電力値と充電電力値とを計算し、制御量取得部１２０は、従来ＥＭＳから当該放電電力値と充電電力値とを取得する。
【００７０】
制御信号生成部１３０は、制御量取得部１２０が放電電力値を取得した場合に、放電装置識別情報で示される放電装置に放電電力値の電力を放電させる放電制御信号を生成し、制御量取得部１２０が充電電力値を取得した場合に、充電装置識別情報で示される充電装置に充電電力値の電力を充電させる充電制御信号を生成する。
【００７１】
具体的には、制御信号生成部１３０は、放電装置の定格出力の合計値に対する放電電力値の割合を放電制御信号として生成し、充電装置の定格出力の合計値に対する充電電力値の割合を充電制御信号として生成する。また、制御信号生成部１３０は、制御量取得部１２０が放電電力値を取得した期間である放電期間に対応させて放電制御信号を生成し、制御量取得部１２０が充電電力値を取得した期間である充電期間に対応させて充電制御信号を生成する。
【００７２】
なお、制御信号生成部１３０は、異なる方法によって放電制御信号または充電制御信号を生成してもよい。例えば、制御信号生成部１３０は、放電装置ごとに、各放電装置に放電させる電力値を放電制御信号として生成し、充電装置ごとに、各充電装置に充電させる電力値を充電制御信号として生成することにしてもよい。
【００７３】
制御信号送信部１４０は、放電制御信号が生成された場合に、電力系統３２０に放電電力値の電力を放電するように、放電制御信号を放電装置に送信し、充電制御信号が生成された場合に、電力系統３２０から充電電力値の電力を充電するように、充電制御信号を充電装置に送信する。
【００７４】
具体的には、制御信号送信部１４０は、放電期間に電力系統３２０に放電電力値の電力を放電するように、放電制御信号を放電群２１０に含まれる全ての放電装置に送信し、充電期間に電力系統３２０から充電電力値の電力を充電するように、充電制御信号を充電群２２０に含まれる全ての充電装置に送信する。
【００７５】
記憶部１５０は、蓄電装置制御装置１００による蓄電装置２００の制御に用いられるデータテーブルである蓄電情報テーブル１５１等を記憶している半導体メモリ等である。この蓄電情報テーブル１５１については、後述する。
【００７６】
なお、蓄電装置制御装置１００は、上記処理部以外にも、ＣＲＴ（Ｃａｔｈｏｄｅ−Ｒａｙ  Ｔｕｂｅ）やＬＣＤ（Ｌｉｑｕｉｄ  Ｃｒｙｓｔａｌ  Ｄｉｓｐｌａｙ）等の表示部や、キーボードやマウス等の入力部を備えていることにしてもよい。
【００７７】
次に、蓄電装置２００の機能構成について説明する。
【００７８】
同図に示すように、蓄電装置２００に含まれるそれぞれの蓄電装置は、蓄電制御部２５０と蓄電池２６０とを備えている。蓄電制御部２５０は、蓄電池２６０を制御する処理部であり、例えばインバータに組み込まれている。蓄電池２６０は、蓄電制御部２５０からの指示に従い、固有の充電量まで充電され、また固有の放電量まで放電される蓄電池である。
【００７９】
また、蓄電制御部２５０は、蓄電情報送信部２５１、制御信号取得部２５２、充放電信号生成部２５３、充放電信号送信部２５４、切替部２５５及び記憶部２５６を備えている。
【００８０】
蓄電情報送信部２５１は、蓄電装置が、固有の放電量まで放電過程の蓄電装置である放電装置、固有の充電量まで充電過程の蓄電装置である充電装置、及び蓄電装置制御装置１００に制御されない蓄電装置である不参加装置のいずれの装置であるかを識別する識別情報を、蓄電装置制御装置１００に送信する。
【００８１】
具体的には、蓄電情報送信部２５１は、後述する記憶部２５６に記憶されている当該識別情報を読み出して、蓄電装置制御装置１００に送信する。ここで、放電装置を識別する識別情報は、放電装置識別情報であり、充電装置を識別する識別情報は、充電装置識別情報であり、不参加装置を識別する識別情報は、不参加装置識別情報である。
【００８２】
また、蓄電情報送信部２５１は、蓄電装置の定格出力を蓄電装置制御装置１００に送信する。具体的には、蓄電情報送信部２５１は、後述する記憶部２５６に記憶されている当該定格出力を読み出して、蓄電装置制御装置１００に送信する。
【００８３】
制御信号取得部２５２は、当該識別情報を受信した蓄電装置制御装置１００から、電力系統３２０が放電装置から供給を受ける必要がある電力値の電力を蓄電池２６０に放電させるための放電制御信号、または電力系統３２０が充電装置へ供給する必要がある電力値の電力を蓄電池２６０に充電させるための充電制御信号を取得する。
【００８４】
充放電信号生成部２５３は、制御信号取得部２５２が取得した放電制御信号または充電制御信号に従って、蓄電池２６０が放電する放電電力値または充電する充電電力値を示す充放電信号を生成する。
【００８５】
つまり、充放電信号生成部２５３は、放電制御信号または充電制御信号が例えば定格出力に対する割合である場合、定格出力に当該割合を乗じることで充放電電力値を算出し、充放電信号を生成する。ここで、充放電信号は、蓄電池２６０が充放電する充放電電力値であってもよいし、充放電するための電流の値であってもよい。
【００８６】
充放電信号送信部２５４は、充放電信号生成部２５３が生成した充放電信号で示される放電電力値または充電電力値の電力を蓄電池２６０に充放電させるために、当該充放電信号を蓄電池２６０に送信する。
【００８７】
切替部２５５は、蓄電装置が放電装置、充電装置及び不参加装置のいずれの装置であるかを識別する識別情報を切り替える。つまり、切替部２５５は、放電装置または不参加装置が充電装置に切り替わる場合に、当該放電装置または当該不参加装置を識別する識別情報から充電装置を識別する識別情報に切り替え、充電装置または不参加装置が放電装置に切り替わる場合に、当該充電装置または当該不参加装置を識別する識別情報から当該放電装置を識別する識別情報に切り替え、放電装置または充電装置が不参加装置に切り替わる場合に、当該放電装置または当該充電装置を識別する識別情報から当該不参加装置を識別する識別情報に切り替える。
【００８８】
例えば、切替部２５５は、蓄電池２６０が固有の放電量まで放電された場合に、識別情報を、放電装置を識別する識別情報から充電装置を識別する識別情報に切り替え、蓄電池２６０が固有の充電量まで充電された場合に、識別情報を、充電装置を識別する識別情報から放電装置を識別する識別情報に切り替える。
【００８９】
具体的には、切替部２５５は、後述する記憶部２５６に記憶されている蓄電装置のＳＯＣ（Ｓｔａｔｅ  Ｏｆ  Ｃｈａｒｇｅ）を参照することで、当該切り替えを行う。なお、ＳＯＣとは、蓄電装置の充電割合（残存容量）を示す指標である。そして、当該切り替えられた識別情報は、蓄電情報送信部２５１が所定の周期で情報を蓄電装置制御装置１００に送信するタイミングで送信される。なお、蓄電情報送信部２５１は、所定の周期でなくとも、識別情報が切り替えられた場合に、当該切り替えられた識別情報を蓄電装置制御装置１００に送信することにしてもよい。
【００９０】
記憶部２５６は、蓄電制御部２５０による蓄電池２６０の制御に用いられるデータテーブルである蓄電データテーブル２５７等を記憶している半導体メモリ等である。この蓄電データテーブル２５７については、後述する。
【００９１】
なお、蓄電制御部２５０は、上記処理部以外にも、ＣＲＴ（Ｃａｔｈｏｄｅ−Ｒａｙ  Ｔｕｂｅ）やＬＣＤ（Ｌｉｑｕｉｄ  Ｃｒｙｓｔａｌ  Ｄｉｓｐｌａｙ）等の表示部や、タッチパネル等の入力部を備えていることにしてもよい。
【００９２】
次に、記憶部１５０が記憶している蓄電情報テーブル１５１及び記憶部２５６が記憶している蓄電データテーブル２５７について、詳細に説明する。
【００９３】
図４は、本実施の形態１に係る蓄電情報テーブル１５１の一例を示す図である。
【００９４】
同図に示すように、蓄電情報テーブル１５１は、充電群２２０に含まれる充電装置の定格出力の合計値である「充電群定格総量」と、放電群２１０に含まれる放電装置の定格出力の合計値である「放電群定格総量」との情報を含むデータテーブルである。
【００９５】
当該「充電群定格総量」及び「放電群定格総量」は、蓄電情報取得部１１０によって所定の周期で取得され、蓄電情報取得部１１０によって記憶部１５０に記憶されることにより、蓄電情報テーブル１５１が更新される。
【００９６】
図５は、本実施の形態１に係る蓄電データテーブル２５７の一例を示す図である。
【００９７】
同図に示すように、蓄電データテーブル２５７は、蓄電装置の「定格出力」と、蓄電装置を識別する識別情報である「所属情報」と、「遷移情報」と、「ＳＯＣ」との情報を含むデータテーブルである。
【００９８】
「所属情報」は、当該蓄電装置が放電群２１０、充電群２２０及び不参加群２３０のうちのいずれに属するかを示す情報であり、放電装置を識別する放電装置識別情報、充電装置を識別する充電装置識別情報、及び不参加装置を識別する不参加装置識別情報のいずれかの情報である。
【００９９】
「遷移情報」は、蓄電装置が放電装置、充電装置または不参加装置から他の装置に切り替わる場合に、放電群２１０、充電群２２０及び不参加群２３０のうちのいずれに属する装置に切り替わるかを示す情報である。なお、蓄電装置が不参加装置の場合、当該遷移情報には、いつ遷移するのかという遷移時期に関する情報も含まれる。
【０１００】
つまり、放電装置の遷移情報が充電群の場合は、放電装置から充電装置に切り替わり、放電装置の遷移情報が不参加群の場合は、放電装置から不参加装置に切り替わる。また、充電装置の遷移情報が放電群の場合は、充電装置から放電装置に切り替わり、充電装置の遷移情報が不参加群の場合は、充電装置から不参加装置に切り替わる。また、不参加装置の遷移情報が放電群の場合は、不参加装置から放電装置に切り替わり、不参加装置の遷移情報が充電群の場合は、不参加装置から充電装置に切り替わる。
【０１０１】
なお、当該遷移情報は、どのように定められてもよいが、例えば、ユーザによって定められる。つまり、例えば、充電と放電とを所定の回数繰り返した後で不参加装置に切り替えるなど、ユーザによって蓄電装置の遷移状態がスケジューリングされることで、遷移情報が定められることにしてもよい。また、充電と放電との繰り返しモードや不参加装置への移行モードなど、ユーザによって蓄電装置の遷移状態のモード情報が設定されることで、遷移情報が定められることにしてもよい。
【０１０２】
「ＳＯＣ」は、現在のＳＯＣの値と、ＳＯＣの上下限値（運用値）を示す情報である。具体的には、同図に示す「９０％（１０〜９５％）」の「９０％」とは、現在のＳＯＣの値が９０％であることを示している。また、「（１０〜９５％）」とは、運用上のＳＯＣの上下限値を示しており、具体的には、ＳＯＣが９５％まで充電可能（充電深度をＳＯＣ９５％に設定）であり、ＳＯＣが１０％まで放電可能（放電深度をＳＯＣ１０％に設定）であることを示している。
【０１０３】
切替部２５５は、蓄電データテーブル２５７に含まれる蓄電装置のＳＯＣの現在値と上下限値とを参照し、例えばＳＯＣの現在値が上限値を上回るまたはＳＯＣの現在値が下限値を下回る場合に、蓄電データテーブル２５７に含まれる所属情報を遷移情報で示される識別情報に書き換える。また、切替部２５５は、遷移情報を、次に切り替わる装置を示す識別情報に書き換える。
【０１０４】
ここで、蓄電データテーブル２５７に含まれるＳＯＣの上下限値を示す充電深度及び放電深度は、ユーザによって設定される。以下に、ユーザによって設定される充電深度及び放電深度について説明する。
【０１０５】
図６は、本実施の形態１に係るユーザによって設定される充電深度及び放電深度を説明する図である。具体的には、同図の（ａ）は、蓄電装置の特性として、充電深度が一定の場合での放電深度とサイクル寿命との関係を示すグラフである。また、同図の（ｂ）は、充電深度も考慮した、放電深度とサイクル寿命との関係を示すグラフである。ここで、サイクル寿命とは、蓄電装置の充放電可能回数である。
【０１０６】
同図の（ａ）に示すように、グラフＡは、傾きが緩やかなグラフであり、グラフＢは、グラフＡよりも傾きが急なグラフである。ここで、グラフＡとグラフＢは、異なる蓄電装置の特性を示している。なお、グラフＡでは、放電深度が深くなるほど、放電深度とサイクル寿命とを乗じた値は大きくなり、グラフＢでは、放電深度が浅くなるほど、放電深度とサイクル寿命とを乗じた値は大きくなるものとする。
【０１０７】
そして、放電深度とサイクル寿命とを乗じた値が大きくなるほど、蓄電装置の寿命は長くなる。このため、寿命が最長になる場合の放電深度は、蓄電装置によって異なる。
【０１０８】
また、同図の（ｂ）に示すように、充電深度も考慮した場合、充電深度が異なると、放電深度とサイクル寿命との関係も変化する。ここで、同図に示すグラフの複数の直線は、同じ蓄電装置における異なる充電深度での特性を示している。
【０１０９】
例えば、同じ放電深度において、充電深度が浅い方が、サイクル寿命が大きくなる。そして、充電深度及び放電深度から得られる充放電量とサイクル寿命とを乗じた値が大きくなるほど、蓄電装置の寿命は長くなる。このため、寿命が最長になる場合の充電深度及び放電深度は、蓄電装置によって異なる。そして、蓄電装置の寿命が長くなり、かつ蓄電装置のアンシラリーサービス提供により得られる対価が多くなる充電深度及び放電深度が、ユーザによって定められる。
【０１１０】
次に、蓄電装置制御装置１００及び蓄電装置２００が行う処理について、説明する。
【０１１１】
図７は、本実施の形態１に係る蓄電装置制御装置１００の動作の一例を示すフローチャートである。
【０１１２】
図８は、本実施の形態１に係る蓄電装置２００の動作の一例を示すフローチャートである。
【０１１３】
まず、図７に示すように、蓄電装置制御装置１００の制御期間中において、所定の周期で、以下の処理（Ｓ１０４〜Ｓ１２０）が繰り返し行われる（ループ１：Ｓ１０２〜Ｓ１２２）。
【０１１４】
まず、蓄電情報取得部１１０は、蓄電装置２００に含まれるそれぞれの蓄電装置の所属情報を取得する（Ｓ１０４）。
【０１１５】
ここで、図８に示すように、蓄電装置２００に含まれるそれぞれの蓄電装置の蓄電情報送信部２５１は、所属情報と定格出力とを蓄電装置制御装置１００に送信する（Ｓ２０２）。具体的には、蓄電情報送信部２５１は、記憶部２５６から蓄電データテーブル２５７に含まれる所属情報及び定格出力を読み出し、蓄電装置制御装置１００に送信する。これにより、蓄電情報取得部１１０は、蓄電情報送信部２５１が送信した所属情報を受信する。
【０１１６】
図９は、本実施の形態１に係る蓄電装置制御装置１００の蓄電情報取得部１１０が取得する情報を説明する図である。
【０１１７】
同図に示すように、蓄電装置制御装置１００の蓄電情報取得部１１０は、通信ネットワーク３１０を介して、蓄電装置２００に含まれるそれぞれの蓄電装置から、所属情報を取得する。つまり、蓄電情報取得部１１０は、放電群２１０に含まれる放電装置１〜ｍからは放電装置識別情報として「放電群」を取得し、充電群２２０に含まれる充電装置１〜ｎからは充電装置識別情報として「充電群」を取得し、不参加群２３０に含まれる不参加装置１〜ｐからは不参加装置識別情報として「不参加群」を取得する。
【０１１８】
図７に戻り、蓄電情報取得部１１０は、放電群定格総量及び充電群定格総量を取得する（Ｓ１０６）。
【０１１９】
具体的には、図９に示すように、蓄電装置制御装置１００の蓄電情報取得部１１０は、通信ネットワーク３１０を介して、蓄電装置２００に含まれるそれぞれの蓄電装置の蓄電情報送信部２５１が送信した定格出力を取得する。例えば、蓄電情報取得部１１０は、放電装置１からは定格出力「１．０ｋＷ」を取得し、充電装置１からは定格出力「２．０ｋＷ」を取得する。
【０１２０】
そして、蓄電情報取得部１１０は、放電群２１０に含まれる放電装置１〜ｍの定格出力を合計することで、放電群定格総量を取得し、充電群２２０に含まれる充電装置１〜ｎの定格出力を合計することで、充電群定格総量を取得する。例えば、蓄電情報取得部１１０は、放電群定格総量「１０００．０ＭＷ」と充電群定格総量「８００．０ＭＷ」とを取得する。
【０１２１】
そして、蓄電情報取得部１１０は、取得した放電群定格総量及び充電群定格総量を、記憶部１５０に記憶させることにより、蓄電情報テーブル１５１を更新する。これにより、蓄電情報テーブル１５１は、図４に示すように、放電群定格総量が「１０００．０ＭＷ」、充電群定格総量が「８００．０ＭＷ」に書き換えられる。
【０１２２】
図７に戻り、次に、制御量取得部１２０は、従来ＥＭＳから制御量を取得する（Ｓ１０８）。具体的には、制御量取得部１２０は、通信ネットワーク３１０を介して、従来ＥＭＳから制御量を取得する。なお、制御量取得部１２０は、通信ネットワーク３１０を介さずに、制御量取得部１２０と従来ＥＭＳとを繋ぐ専用線を介して、従来ＥＭＳから制御量を取得することにしてもよい。
【０１２３】
ここで、制御量とは、電力系統３２０が放電群２１０に含まれる放電装置から供給を受ける必要がある電力値である放電電力値、または電力系統３２０が充電群２２０に含まれる充電装置へ供給する必要がある電力値である充電電力値である。
【０１２４】
図１０は、本実施の形態１に係る蓄電装置制御装置１００の制御量取得部１２０が取得する制御量を説明する図である。
【０１２５】
具体的には、同図の（ａ）は、電力系統３２０が蓄電装置２００に求める充放電パターンを示す図である。また、同図の（ｂ）は、電力系統３２０が放電群２１０の放電装置から供給を受ける必要がある放電電力値を示す図である。また、同図の（ｃ）は、電力系統３２０が充電群２２０の充電装置へ供給する必要がある充電電力値を示す図である。
【０１２６】
同図の（ａ）に示すように、電力系統３２０は、蓄電装置２００から同図に示す「Ａ」及び「Ｂ」の電力の供給を受け、その後、蓄電装置２００に「Ｃ」及び「Ｄ」の電力を供給し、さらに、蓄電装置２００から「Ｅ」の電力の供給を受けるように、蓄電装置２００に要求する。
【０１２７】
つまり、同図の（ｂ）に示すように、「Ａ」、「Ｂ」及び「Ｅ」は、電力系統３２０が放電群２１０の放電装置から供給を受ける必要がある放電電力値である。また、同図の（ｃ）に示すように、「Ｃ」及び「Ｄ」は、電力系統３２０が充電群２２０の充電装置へ供給する必要がある充電電力値である。
【０１２８】
このため、制御量取得部１２０は、従来ＥＭＳから、「Ａ」の放電電力値、「Ｂ」の放電電力値、「Ｃ」の充電電力値、「Ｄ」の充電電力値、及び「Ｅ」の放電電力値の順に、制御量を取得する。
【０１２９】
図７に戻り、次に、制御信号生成部１３０は、制御量取得部１２０が制御量として放電電力値を取得したか否かを判断する（Ｓ１１０）。例えば、図１０に示された「Ａ」、「Ｂ」及び「Ｅ」の場合は、制御信号生成部１３０は、制御量取得部１２０が放電電力値を取得したと判断する。
【０１３０】
制御信号生成部１３０は、制御量取得部１２０が放電電力値を取得したと判断した場合は（Ｓ１１０でＹＥＳ）、放電制御信号を生成する（Ｓ１１２）。ここで、放電制御信号とは、放電装置識別情報で示される放電装置（放電群２１０に含まれる放電装置１〜ｍ）に放電電力値の電力を放電させるための信号である。
【０１３１】
具体的には、制御信号生成部１３０は、制御量取得部１２０が放電電力値を取得した期間である放電期間に対応させて、放電群定格総量に対する放電電力値の割合を放電制御信号として生成する。例えば、制御量取得部１２０が図１０に示された「Ａ」の放電電力値を取得した場合、制御信号生成部１３０は、当該「Ａ」の放電期間に対応させて、放電群定格総量「１０００．０ＭＷ」に対する「Ａ」の放電電力値の割合を放電制御信号として生成する。
【０１３２】
なお、制御信号生成部１３０は、上記の方法ではなく、例えば、放電装置ごとに、各放電装置に放電させる電力値を放電制御信号として生成することにしてもよい。
【０１３３】
そして、制御信号送信部１４０は、当該放電制御信号を放電装置に送信する（Ｓ１１４）。具体的には、制御信号送信部１４０は、放電期間に、電力系統３２０に放電電力値の電力を放電するように、放電制御信号を全ての放電装置に送信する。
【０１３４】
図１１は、本実施の形態１に係る蓄電装置制御装置１００の制御信号送信部１４０が放電指令または充電指令を行うことを説明する図である。
【０１３５】
同図に示すように、蓄電装置制御装置１００の制御信号送信部１４０は、通信ネットワーク３１０を介して、放電指令として、放電群２１０に含まれる全ての放電装置１〜ｍに、放電制御信号を送信する。
【０１３６】
例えば、制御信号送信部１４０は、「Ａ」、「Ｂ」または「Ｅ」などの放電期間に、放電装置１〜ｍに放電制御信号を送信する。
【０１３７】
そして、放電制御信号を受信した放電装置１〜ｍは、放電装置１〜ｍから放電される電力の合計が放電電力値になるように放電を行うことで、電力系統３２０に当該放電電力値の電力を供給する。具体的には、放電装置１〜ｍのそれぞれは、自装置の定格出力に、受信した放電制御信号で示される割合を乗じた値の電力を放電する。
【０１３８】
なお、放電制御信号が放電装置ごとの放電電力値を示す場合は、放電装置１〜ｍのそれぞれは、受信した放電制御信号で示される放電電力値の電力を放電する。
【０１３９】
図７に戻り、制御信号生成部１３０は、制御量取得部１２０が放電電力値を取得していないと判断した場合は（Ｓ１１０でＮＯ）、制御量取得部１２０が制御量として充電電力値を取得したか否かを判断する（Ｓ１１６）。例えば、図１０に示された「Ｃ」及び「Ｄ」の場合は、制御信号生成部１３０は、制御量取得部１２０が充電電力値を取得したと判断する。
【０１４０】
制御信号生成部１３０は、制御量取得部１２０が充電電力値を取得したと判断した場合は（Ｓ１１６でＹＥＳ）、充電制御信号を生成する（Ｓ１１８）。ここで、充電制御信号とは、充電装置識別情報で示される充電装置（充電群２２０に含まれる充電装置１〜ｎ）に充電電力値の電力を充電させるための信号である。
【０１４１】
具体的には、制御信号生成部１３０は、制御量取得部１２０が充電電力値を取得した期間である充電期間に対応させて、充電群定格総量に対する充電電力値の割合を充電制御信号として生成する。例えば、制御量取得部１２０が図１０に示された「Ｃ」の充電電力値を取得した場合、制御信号生成部１３０は、当該「Ｃ」の充電期間に対応させて、充電群定格総量「８００．０ＭＷ」に対する「Ｃ」の充電電力値の割合を充電制御信号として生成する。
【０１４２】
なお、制御信号生成部１３０は、上記の方法ではなく、例えば、充電装置ごとに、各充電装置に充電させる電力値を充電制御信号として生成することにしてもよい。
【０１４３】
そして、制御信号送信部１４０は、当該充電制御信号を充電装置に送信する（Ｓ１２０）。具体的には、制御信号送信部１４０は、充電期間に、電力系統３２０から充電電力値の電力を充電するように、充電制御信号を全ての充電装置に送信する。
【０１４４】
つまり、図１１に示すように、蓄電装置制御装置１００の制御信号送信部１４０は、通信ネットワーク３１０を介して、充電指令として、充電群２２０に含まれる全ての充電装置１〜ｎに、充電制御信号を送信する。
【０１４５】
例えば、制御信号送信部１４０は、「Ｃ」または「Ｄ」などの充電期間に、充電装置１〜ｎに充電制御信号を送信する。
【０１４６】
次に、図８に示すように、蓄電装置２００に含まれる蓄電装置の制御信号取得部２５２は、制御信号送信部１４０が送信した放電制御信号または充電制御信号を取得する（Ｓ２０４）。
【０１４７】
そして、充放電信号生成部２５３は、制御信号取得部２５２が取得した放電制御信号または充電制御信号に従って、蓄電池２６０が放電する放電電力値または充電する充電電力値を示す充放電信号を生成する（Ｓ２０６）。
【０１４８】
そして、充放電信号送信部２５４は、充放電信号生成部２５３が生成した充放電信号を蓄電池２６０に送信する（Ｓ２０８）。これにより、当該充放電信号で示される放電電力値または充電電力値の電力が、蓄電池２６０に充放電される。
【０１４９】
次に、切替部２５５は、蓄電装置の所属情報を切り替える必要があるか否かを判断する（Ｓ２１０）。例えば、切替部２５５は、蓄電池２６０が固有の放電量まで放電された場合に、蓄電装置の所属情報を、放電装置識別情報から充電装置識別情報に切り替える必要があると判断し、蓄電池２６０が固有の充電量まで充電された場合に、蓄電装置の所属情報を、充電装置識別情報から放電装置識別情報に切り替える必要があると判断する。
【０１５０】
そして、切替部２５５は、蓄電装置の所属情報を切り替える必要があると判断した場合（Ｓ２１０でＹＥＳ）、蓄電装置の所属情報を切り替える（Ｓ２１２）。また、切替部２５５が、蓄電装置の所属情報を切り替える必要がないと判断した場合（Ｓ２１０でＮＯ）、蓄電装置の所属情報を切り替えることなく処理を終了する。
【０１５１】
このようにして、図１１に示された充電制御信号を受信した充電装置１〜ｎは、充電装置１〜ｎに充電される電力の合計が充電電力値になるように充電を行うことで、電力系統３２０から当該充電電力値の電力の供給を受ける。具体的には、充電装置１〜ｎのそれぞれは、自装置の定格出力に、受信した充電制御信号で示される割合を乗じた値の電力を充電する。
【０１５２】
なお、充電制御信号が充電装置ごとの充電電力値を示す場合は、充電装置１〜ｎのそれぞれは、受信した充電制御信号で示される充電電力値の電力を充電する。
【０１５３】
以上のようにして、蓄電装置制御装置１００の制御期間中において、所定の周期で、上記処理（Ｓ１０４〜Ｓ１２０及びＳ２０２〜Ｓ２１２）が繰り返し行われる（ループ１：Ｓ１０２〜Ｓ１２２）。
【０１５４】
なお、蓄電装置制御装置１００の制御期間中において、例えば放電装置が固有の放電量まで放電された場合に、放電装置識別情報は充電装置識別情報に切り替えられ、また、充電装置が固有の充電量まで充電された場合に、充電装置識別情報は放電装置識別情報に切り替えられる（Ｓ２１２）。
【０１５５】
このため、当該制御期間中において、蓄電情報取得部１１０は、放電装置である第一蓄電装置が固有の放電量まで放電された場合に、第一蓄電装置を識別する識別情報として充電装置識別情報を取得し、充電装置である第二蓄電装置が固有の充電量まで充電された場合に、第二蓄電装置を識別する識別情報として放電装置識別情報を取得する（Ｓ１０４）。
【０１５６】
このように、上記処理（Ｓ１０４〜Ｓ１２０）を繰り返すことで、放電群２１０に含まれる放電装置、及び充電群２２０に含まれる充電装置の構成が変化していく。また、放電群２１０若しくは充電群２２０から不参加群２３０、または不参加群２３０から放電群２１０若しくは充電群２２０に移行することによっても、当該構成が変化していく。
【０１５７】
なお、本実施の形態１では、蓄電装置の固有の放電量や充電量、蓄電装置が放電群２１０、充電群２２０及び不参加群２３０のどの群に所属するのか、またどの群に切り替わるのかなどは、個々の蓄電装置ごとに設定されている。
【０１５８】
次に、蓄電装置２００の切替部２５５が所属情報を切り替える処理の他の一例について、説明する。具体的には、切替部２５５が、電気自動車などの充電装置について、当該充電装置の本来の利便性を損ねないように所属情報を切り替える。
【０１５９】
図１２は、本実施の形態１に係る切替部２５５が行う処理を説明する図である。具体的には、同図の（ａ）は、充電装置に通常の充電を行った場合の経過時間に対するＳＯＣの値を示したグラフである。また、同図の（ｂ）は、蓄電装置制御装置１００によって充電装置に充電を行った場合の経過時間に対するＳＯＣの値を示したグラフである。
【０１６０】
同図の（ａ）に示すように、通常の充電においては、時刻ｔ１までの期間Ｔ１に、固有の充電量（同図に示すＳＯＣがｘ％のときの充電量）まで充電装置の充電が行われる。なお、充電装置は時刻ｔ２までに充電を完了すればよいが、時刻ｔ１で充電が完了したため、時刻ｔ１から時刻ｔ２までの期間Ｔ２には、充電装置には充電は行われない。
【０１６１】
これに対し、同図の（ｂ）に示すように、蓄電装置制御装置１００は、時刻ｔ３までの期間Ｔ３に、充電制御信号に従って、充電装置に充電を行わせる。ここで、充電装置は、時刻ｔ２までに、ＳＯＣがｘ％で示される固有の充電量まで充電を行う必要があるものとする。そして、充電制御信号に従った充電では、充電装置が、時刻ｔ２までに当該固有の充電量まで充電されないこととする。
【０１６２】
このため、切替部２５５は、充電制御信号に従った充電では蓄電池２６０が所定の期間内に固有の充電量まで充電されないことが予測される場合に、所属情報を不参加装置を識別する識別情報に切り替える。
【０１６３】
そして、蓄電情報送信部２５１は、切替部２５５が切り替えた所属情報を蓄電装置制御装置１００に送信する。ここで、蓄電情報送信部２５１は、所定の周期で情報を蓄電装置制御装置１００に送信するタイミングで、当該切り替えられた所属情報を送信する。なお、蓄電情報送信部２５１は、所定の周期でなくとも、所属情報が切り替えられた場合に、当該切り替えられた所属情報を蓄電装置制御装置１００に送信することにしてもよい。
【０１６４】
また、充放電信号生成部２５３は、蓄電池２６０を所定の期間内に固有の充電量まで充電させる充放電信号を生成し、充放電信号送信部２５４は、当該充放電信号を蓄電池２６０に送信する。
【０１６５】
ここで、時刻ｔ３から時刻ｔ２までの期間Ｔ４における充電は、同図の（ａ）での期間Ｔ１における充電と同じ速度で行われる充電である。つまり、当該充電装置には、時刻ｔ３から時刻ｔ２までの期間Ｔ４において、通常の充電が行われる。
【０１６６】
次に、蓄電装置制御装置１００が電力系統３２０の需給制御を行うことによる効果について、説明する。
【０１６７】
図１３は、本発明の実施の形態１に係る蓄電装置制御装置１００が電力系統３２０の需給制御を行うことによる効果を説明する図である。
【０１６８】
具体的には、同図の（ａ）は、従来の需給制御による蓄電装置のＳＯＣの変化を示す図である。また、同図の（ｂ）は、蓄電装置制御装置１００の需給制御による放電装置のＳＯＣの変化を示す図である。また、同図の（ｃ）は、蓄電装置制御装置１００の需給制御による充電装置のＳＯＣの変化を示す図である。
【０１６９】
同図の（ａ）に示すように、従来の需給制御では、例えば「Ｐ１」で示される電力値のグラフに従って蓄電装置への充放電が短期間に繰り返し行われる場合、当該蓄電装置のＳＯＣは、浅い放電深度で増減を繰り返す。
【０１７０】
これに対し、同図の（ｂ）に示すように、本実施の形態に係る蓄電装置制御装置１００では、「Ｐ２」で示される電力値のグラフに従って放電装置の放電が行われ、当該放電装置のＳＯＣは、固有の放電量の放電が完了するまで（最適な放電深度になるまで）減少する。また、同図の（ｃ）に示すように、蓄電装置制御装置１００では、「Ｐ３」で示される電力値のグラフに従って充電装置の充電が行われ、当該充電装置のＳＯＣは、固有の充電量の充電が完了するまで（最適な充電深度になるまで）上昇する。
【０１７１】
このように、従来の需給制御では、蓄電装置が浅い放電深度で充放電を繰り返すため、蓄電装置を長寿命で使用できるとは限らない。しかし、本実施の形態に係る蓄電装置制御装置１００では、蓄電装置が最適な放電深度及び充電深度での充放電を行うことができ、かつ、充放電を繰り返す回数を減少させることができるので、蓄電装置の長寿命化を図ることができる。
【０１７２】
以上のように、本発明の実施の形態１に係る蓄電装置制御装置１００によれば、電力系統３２０が供給を受ける必要がある電力を放電装置が放電するように、放電制御信号を放電装置に送信し、電力系統３２０が供給する必要がある電力を充電装置が電力系統３２０から充電するように、充電制御信号を充電装置に送信する。このため、例えば蓄電装置として需要家に設置された二次電池を活用したり、充電装置として電気自動車の蓄電池を活用したりするなど、蓄電装置を本来の用途の利便性を損ねることなく、活用することができる。これにより、需給制御専用の蓄電装置を必要とせず、電力系統３２０の需給制御を行うことができる。また、蓄電装置は、固有の充電量または固有の放電量まで充電または放電を行うため、寿命を考慮して、最適な固有の充電量及び固有の放電量を選択することで、最適な充電深度及び放電深度での充放電を行うことができ、かつ、充放電を繰り返す回数を減少させることができるので、蓄電装置の長寿命化を図ることができる。したがって、蓄電装置を用いて電力系統３２０の需給制御を行う場合に、需給制御専用の蓄電装置を必要とせず、蓄電装置の長寿命化を図ることができる。
【０１７３】
また、放電装置の定格出力の合計値に対する放電電力値の割合を放電制御信号として生成し、当該放電制御信号を全ての放電装置に送信する。また、充電装置の定格出力の合計値に対する充電電力値の割合を充電制御信号として生成し、当該充電制御信号を全ての充電装置に送信する。つまり、定格出力に対する割合を制御信号として生成することで、各放電装置または各充電装置に応じた制御信号を個別に生成する必要がなく、各放電装置または各充電装置に一律に当該制御信号を送信することができる。このため、容易に制御信号を生成及び送信して、電力系統３２０の需給制御を行うことができる。
【０１７４】
また、電力系統３２０の周波数制御のための系統電力の調整値として、放電電力値または充電電力値を所定の周期で取得し、放電電力値を取得した期間に電力系統３２０に放電電力値の電力を放電するように放電装置に制御信号を送信し、充電電力値を取得した期間に電力系統３２０から充電電力値の電力を充電するように充電装置に制御信号を送信する。これにより、蓄電装置を用いて、電力系統３２０の周波数制御のための系統電力の調整を行うことができるので、蓄電装置が充電している期間、または蓄電装置が放電している期間に、アンシラリーサービスを提供することができる。また、例えば電気自動車の蓄電池を用いる場合は、充電している期間のみアンシラリーサービスを提供するという制御を行うことができる。
【０１７５】
また、蓄電装置が固有の放電量まで放電された場合に、当該蓄電装置を識別する識別情報として充電装置識別情報を取得し、蓄電装置が固有の充電量まで充電された場合に、当該蓄電装置を識別する識別情報として放電装置識別情報を取得する。つまり、蓄電装置は、放電が完了した場合には充電するように切り替え、充電が完了した場合には放電するように切り替える機能を有している。これにより、蓄電装置から放電される電力値の合計または蓄電装置へ充電される電力値の合計が極端に変化することがなく、安定して電力系統３２０の需給制御を行うことができる。
【０１７６】
また、本発明の実施の形態１に係る蓄電装置２００によれば、放電装置、充電装置または不参加装置が、他の装置に切り替わる場合に、切り替わり先の装置の識別情報を蓄電装置制御装置１００に送信する。例えば、蓄電池２６０が固有の放電量まで放電された場合に、識別情報を放電装置から充電装置を識別する識別情報に切り替え、蓄電池２６０が固有の充電量まで充電された場合に、識別情報を充電装置から放電装置を識別する識別情報に切り替えて、当該識別情報を蓄電装置制御装置１００に送信する。なお、所属情報は、所定の周期で、蓄電装置制御装置１００に送信される。これにより、蓄電装置制御装置１００が充放電を切り替える機能を有していなくとも、蓄電装置の充放電を切り替えることができる。
【０１７７】
また、蓄電装置制御装置１００からの充電制御信号に従った充電では蓄電池２６０が所定の期間内に固有の充電量まで充電されないことが予測される場合に、識別情報を不参加装置を識別する識別情報に切り替えて、当該識別情報を蓄電装置制御装置１００に送信する。なお、所属情報は、所定の周期で、蓄電装置制御装置１００に送信される。また、蓄電池２６０を、所定の期間内に固有の充電量まで充電させる充放電信号を蓄電池２６０に送信する。例えば、電気自動車の蓄電池を充電制御信号に従って充電している場合に、充電制御信号に従った充電では、ユーザが使用したい時刻に充電が完了しない場合がある。この場合には、電気自動車の蓄電池を充電制御信号に従って充電させることを中止し、ユーザが使用したい時刻に充電が完了するように、急速に充電させる。これにより、電気自動車の蓄電池などの充電装置を所定の期間内に固有の充電量まで充電することができるため、本来の用途の利便性を損ねることなく、当該充電装置を電力系統の需給制御に活用することができる。
【０１７８】
なお、放電装置は、放電が完了した場合に不参加装置に切り替わることもでき、充電装置は、充電が完了した場合に不参加装置に切り替わることもできる。この切り替わりは、自動で行われてもよいし、ユーザの指示により行われてもよい。例えば、蓄電装置が電気自動車用蓄電池などの場合で、かつ、ユーザが電気自動車を使用する予定が間近にある場合は、充電が完了した後に不参加装置に遷移させるよう設定することで、電気自動車の本来の利便性を損なわずに使用することができる。
【０１７９】
（実施の形態２）
次に、本発明の実施の形態２について、説明する。上記実施の形態１では、蓄電装置２００の切替部２５５が、放電が完了した場合には充電するように切り替え、充電が完了した場合には放電するように切り替える機能を有していることとした。しかし、本実施の形態２では、切替部２５５の代わりに、蓄電装置制御装置１００が、蓄電装置の放電及び充電を切り替える。
【０１８０】
ここで、本実施の形態２における蓄電装置制御システム１０の構成は、図１〜５に示した実施の形態１における蓄電装置制御システム１０の構成と同様であるが、当該蓄電装置制御システム１０が備える構成要素が有する機能が一部異なる。このため、以下では、当該構成要素が有する機能について、実施の形態１での説明と異なる機能についての説明を行う。
【０１８１】
蓄電情報取得部１１０は、蓄電装置２００が備える各蓄電装置の寿命が最長になる充電深度及び放電深度を示す充放電深度情報を取得する。
【０１８２】
制御信号生成部１３０は、蓄電装置が固有の放電量まで放電された場合に、蓄電装置を放電装置から充電装置に切り替える充電切替信号を生成するとともに、蓄電装置が固有の充電量まで充電された場合に、蓄電装置を充電装置から放電装置に切り替える放電切替信号を生成する。
【０１８３】
制御信号送信部１４０は、充電切替信号が生成された場合に、充電切替信号を放電装置に送信するとともに、放電切替信号が生成された場合に、放電切替信号を充電装置に送信する。
【０１８４】
次に、本実施の形態２に係る蓄電装置制御装置１００が行う処理について、説明する。ここで、本実施の形態２では、図７に示した実施の形態１と同様の処理を行うが、蓄電情報取得部１１０が所属情報を取得する処理（図７のＳ１０４）が異なるため、以下では、当該処理について詳細に説明する。
【０１８５】
図１４は、本実施の形態２に係る蓄電装置制御装置１００の動作の一例を示すフローチャートである。なお、同図は、図７における蓄電情報取得部１１０が所属情報を取得する処理（図７のＳ１０４）に相当する。
【０１８６】
まず、蓄電情報取得部１１０は、通信ネットワーク３１０を介して、蓄電装置２００が備える各蓄電装置から、充放電深度情報を取得する（Ｓ３０２）。
【０１８７】
ここで、充放電深度情報は、充電深度及び放電深度から得られる充放電量とサイクル寿命とを乗じた値が最大になる場合の充電深度及び放電深度を示す情報である。つまり、充放電深度情報は、蓄電装置の寿命が最長になる充電深度及び放電深度を示す情報である。このため、蓄電装置によって充放電深度情報は異なり、それぞれの蓄電装置は、固有の充放電深度情報を有する。
【０１８８】
つまり、蓄電情報取得部１１０は、充電深度及び放電深度から得られる充放電量にサイクル寿命を乗じた値が最大になる場合の蓄電装置の充電深度及び放電深度を、蓄電装置の寿命が最長になる充電深度及び放電深度として、充放電深度情報を取得する。ここで、当該充電深度及び放電深度は、ユーザによって設定される。このため、蓄電情報取得部１１０は、ユーザが設定した充放電深度情報を取得する。
【０１８９】
図１４に戻り、次に、制御信号生成部１３０は、固有の放電量まで放電されて放電を完了した蓄電装置が有るか否かを判断する（Ｓ３０４）。
【０１９０】
制御信号生成部１３０は、放電を完了した蓄電装置が有ると判断した場合（Ｓ３０４でＹＥＳ）、放電を完了した蓄電装置である第一蓄電装置を放電装置から充電装置に切り替える充電切替信号を生成する（Ｓ３０６）。具体的には、制御信号生成部１３０は、第一蓄電装置が充放電深度情報で示される放電深度まで放電された場合に、充電切替信号を生成する。
【０１９１】
そして、制御信号送信部１４０は、通信ネットワーク３１０を介して、当該充電切替信号を第一蓄電装置に送信する（Ｓ３０８）。これにより、第一蓄電装置は、充電切替信号を受信することで充電装置に切り替えられる。
【０１９２】
そして、制御信号生成部１３０は、固有の充電量まで充電されて充電を完了した蓄電装置が有るか否かを判断する（Ｓ３１０）。また、制御信号生成部１３０は、放電を完了した蓄電装置が無いと判断した場合についても（Ｓ３０４でＮＯ）、充電を完了した蓄電装置が有るか否かを判断する（Ｓ３１０）。
【０１９３】
制御信号生成部１３０は、充電を完了した充電装置が有ると判断した場合（Ｓ３１０でＹＥＳ）、充電を完了した蓄電装置である第二蓄電装置を充電装置から放電装置に切り替える放電切替信号を生成する（Ｓ３１２）。具体的には、制御信号生成部１３０は、第二蓄電装置が充放電深度情報で示される充電深度まで充電された場合に、放電切替信号を生成する。
【０１９４】
そして、制御信号送信部１４０は、通信ネットワーク３１０を介して、当該放電切替信号を第二蓄電装置に送信する（Ｓ３１４）。これにより、第二蓄電装置は、放電切替信号を受信することで放電装置に切り替えられる。
【０１９５】
そして、蓄電情報取得部１１０は、所属情報を取得する（Ｓ３１６）。具体的には、蓄電情報取得部１１０は、充電切替信号を受信することで充電装置に切り替えられた第一蓄電装置を識別する識別情報として充電装置識別情報を取得し、放電切替信号を受信することで放電装置に切り替えられた第二蓄電装置を識別する識別情報として放電装置識別情報を取得する。
【０１９６】
このように、制御信号生成部１３０は、放電装置が充電装置に切り替わる場合に、当該放電装置を充電装置に切り替える充電切替信号を生成し、充電装置が放電装置に切り替わる場合に、当該充電装置を当該放電装置に切り替える放電切替信号を生成する。なお、制御信号生成部１３０は、不参加装置が充電装置に切り替わる場合に、当該不参加装置を充電装置に切り替える充電切替信号を生成し、不参加装置が放電装置に切り替わる場合に、当該不参加装置を当該放電装置に切り替える放電切替信号を生成し、放電装置または充電装置が不参加装置に切り替わる場合に、当該放電装置または当該充電装置を当該不参加装置に切り替える不参加切替信号を生成することにしてもよい。
【０１９７】
この場合、制御信号送信部１４０は、充電切替信号が生成された場合に、充電切替信号を、切り替えられる放電装置または不参加装置に送信し、放電切替信号が生成された場合に、放電切替信号を、切り替えられる充電装置または不参加装置に送信し、不参加切替信号が生成された場合に、不参加切替信号を、切り替えられる放電装置または充電装置に送信する。
【０１９８】
そして、蓄電情報取得部１１０は、充電切替信号を受信することで充電装置に切り替えられた蓄電装置を識別する識別情報として充電装置識別情報を取得し、放電切替信号を受信することで放電装置に切り替えられた蓄電装置を識別する識別情報として放電装置識別情報を取得し、不参加切替信号を受信することで不参加装置に切り替えられた蓄電装置を識別する識別情報として不参加装置識別情報を取得する。
【０１９９】
以上のように、本発明の実施の形態２に係る蓄電装置制御装置１００によれば、蓄電装置の充放電を切り替える切替信号を生成し、蓄電装置に送信して蓄電装置の充放電を切り替えることで、充電装置識別情報、放電装置識別情報または不参加装置識別情報を取得する。これにより、蓄電装置が充放電を切り替える機能を有していなくとも、蓄電装置の充放電を切り替えることができる。これにより、蓄電装置から放電される電力値の合計または蓄電装置へ充電される電力値の合計が極端に変化することがなく、安定して電力系統３２０の需給制御を行うことができる。
【０２００】
また、充電深度と放電深度とから得られる充放電量にサイクル寿命を乗じた値が最大になる場合の充電深度及び放電深度を、寿命が最長になる充電深度及び放電深度として充放電深度情報を取得する。これにより、容易に充電深度及び放電深度を決定して、蓄電装置の長寿命化を図ることができる。
【０２０１】
（実施の形態３）
次に、本発明の実施の形態３について、説明する。上記実施の形態１では、蓄電装置２００の切替部２５５が、電気自動車などの充電装置について、当該充電装置の本来の利便性を損ねないように所属情報を切り替える機能を有していることとした。しかし、本実施の形態３では、切替部２５５の代わりに、蓄電装置制御装置１００が、電気自動車などの充電装置について、当該充電装置の本来の利便性を損ねないように充電指令を行う。
【０２０２】
ここで、本実施の形態３における蓄電装置制御システム１０の構成は、図１〜５に示した実施の形態１における蓄電装置制御システム１０の構成と同様であるが、当該蓄電装置制御システム１０が備える構成要素が有する機能が一部異なる。このため、以下では、当該構成要素が有する機能について、実施の形態１での説明と異なる機能についての説明を行う。
【０２０３】
制御信号生成部１３０は、充電制御信号に従った充電では充電装置である第三蓄電装置が所定の期間内に固有の充電量まで充電されないことが予測される場合に、第三蓄電装置を充電制御信号に従った充電が行われない不参加装置に切り替える不参加切替信号を生成する。また、制御信号生成部１３０は、当該第三蓄電装置を、所定の期間内に固有の充電量まで充電させる急速充電制御信号を生成する。
【０２０４】
制御信号送信部１４０は、当該不参加切替信号及び急速充電制御信号が生成された場合に、不参加切替信号及び急速充電制御信号を第三蓄電装置に送信する。
【０２０５】
蓄電情報取得部１１０は、不参加切替信号を受信することで不参加装置に切り替えられた第三蓄電装置を識別する識別情報として、不参加装置識別情報を取得する。
【０２０６】
次に、本実施の形態３に係る蓄電装置制御装置１００が行う処理について、説明する。
【０２０７】
まず、図１２での説明と同様に、同図の（ｂ）に示すように、蓄電装置制御装置１００は、時刻ｔ３までの期間Ｔ３に、充電制御信号に従って、充電装置に充電を行わせる。ここで、充電装置は、時刻ｔ２までに、ＳＯＣがｘ％で示される固有の充電量まで充電を行う必要があるものとする。そして、充電制御信号に従った充電では、充電装置が、時刻ｔ２までに当該固有の充電量まで充電されないこととする。
【０２０８】
このため、蓄電装置制御装置１００の制御信号生成部１３０は、充電制御信号に従った充電では充電装置が時刻ｔ２までに当該固有の充電量まで充電されないことを予測し、当該充電装置を充電制御信号に従った充電が行われない不参加装置に切り替える不参加切替信号を生成する。
【０２０９】
また、制御信号生成部１３０は、当該充電装置を、時刻ｔ２までに固有の充電量まで充電させる急速充電制御信号を生成する。ここで、時刻ｔ３から時刻ｔ２までの期間Ｔ４における充電は、同図の（ａ）での期間Ｔ１における充電と同じ速度で行われる充電である。つまり、当該充電装置には、時刻ｔ３から時刻ｔ２までの期間Ｔ４において、通常の充電が行われる。
【０２１０】
そして、制御信号送信部１４０は、不参加切替信号及び急速充電制御信号を、当該充電装置に送信する。これにより、当該充電装置は、不参加切替信号を受信して不参加装置に切り替わることで、不参加群２３０に属することになる。
【０２１１】
そして、蓄電情報取得部１１０は、不参加装置に切り替えられた充電装置を識別する識別情報として、不参加装置識別情報を取得する。
【０２１２】
以上のように、本発明の実施の形態３に係る蓄電装置制御装置１００によれば、充電制御信号に従った充電では所定の充電が行われないことが予測される場合に、充電装置を充電制御信号に従った充電が行われない不参加装置に切り替える不参加切替信号を生成するとともに、当該充電装置に所定の充電をさせる急速充電制御信号を生成し、当該信号を当該充電装置に送信して、当該充電装置を識別する不参加装置識別情報を取得する。例えば、電気自動車の蓄電池を充電制御信号に従って充電している場合に、充電制御信号に従った充電では、ユーザが使用したい時刻に充電が完了しない場合がある。この場合には、電気自動車の蓄電池を充電制御信号に従って充電させることを中止し、ユーザが使用したい時刻に充電が完了するように、急速に充電させる。これにより、電気自動車の蓄電池などの充電装置を所定の期間内に固有の充電量まで充電することができるため、本来の用途の利便性を損ねることなく、当該充電装置を電力系統３２０の需給制御に活用することができる。
【０２１３】
（実施の形態４）
次に、本発明の実施の形態４について、説明する。本実施の形態４では、蓄電装置制御装置１００が、従来発電機と蓄電装置との制御分担の検討に利用できる情報を取得する。
【０２１４】
ここで、本実施の形態４における蓄電装置制御システム１０の構成は、図１〜５に示した実施の形態１における蓄電装置制御システム１０の構成と同様であるが、当該蓄電装置制御システム１０が備える構成要素が有する機能が一部異なる。このため、以下では、当該構成要素が有する機能について、実施の形態１での説明と異なる機能についての説明を行う。
【０２１５】
蓄電情報取得部１１０は、放電装置が放電可能な電力量の合計値を示す放電可能電力量情報と、充電装置が充電可能な電力量の合計値を示す充電可能電力量情報とを取得する。また、蓄電情報取得部１１０は、放電装置が固有の放電量まで放電された後に充電装置に切り替わるか否かを示す情報、または充電装置が固有の充電量まで充電された後に放電装置に切り替わるか否かを示す情報である遷移情報を取得する。
【０２１６】
制御量取得部１２０は、蓄電情報取得部１１０が取得した放電可能電力量情報と充電可能電力量情報と遷移情報とを用いて、放電電力値または充電電力値を取得する。具体的には、制御量取得部１２０は、蓄電情報取得部１１０が取得した情報や系統運用コストなどを用いて、従来発電機と蓄電装置との制御分担を決定し、決定した制御分担に応じた放電電力値または充電電力値を取得する。
【０２１７】
次に、本実施の形態４に係る蓄電装置制御装置１００が行う処理について、説明する。
【０２１８】
図１５は、本実施の形態４に係る蓄電装置制御装置１００が行う処理を説明する図である。
【０２１９】
同図に示すように、蓄電情報取得部１１０は、通信ネットワーク３１０を介して、放電群２１０に含まれる放電装置１〜ｍのそれぞれから、定格容量とＳＯＣとを取得する。
【０２２０】
ここで、蓄電装置の記憶部２５６に記憶されている蓄電データテーブル２５７には、定格容量の情報も含まれていることとする。そして、蓄電情報送信部２５１は当該定格容量とＳＯＣとを蓄電装置制御装置１００に送信することで、蓄電情報取得部１１０は、定格容量とＳＯＣとを取得する。
【０２２１】
例えば、蓄電情報取得部１１０は、放電装置１から、定格容量として「２．０ｋＷｈ」を取得するとともに、ＳＯＣとして「９０％（１０〜９５％）」を取得する。ここで、ＳＯＣの「９０％（１０〜９５％）」の「９０％」とは、現在のＳＯＣの値が９０％であることを示している。また、「（１０〜９５％）」とは、ＳＯＣの上下限値を示しており、具体的には、ＳＯＣが９５％まで充電可能（充電深度をＳＯＣ９５％に設定）であり、ＳＯＣが１０％まで放電可能（放電深度をＳＯＣ１０％に設定）であることを示している。
【０２２２】
そして、蓄電情報取得部１１０は、取得した定格容量とＳＯＣとから、各放電装置が放電可能な電力量を算出する。具体的には、蓄電情報取得部１１０は、定格容量に、ＳＯＣから算出される放電可能な割合を乗じて、各放電装置が放電可能な電力量を算出する。例えば、放電装置１が放電可能な電力量として、蓄電情報取得部１１０は、２．０ｋＷｈ×（９０％−１０％）＝１．６ｋＷｈと算出する。
【０２２３】
そして、蓄電情報取得部１１０は、放電群２１０に含まれる全ての放電装置について、算出した各放電装置が放電可能な電力量を積算することで、各放電装置が放電可能な電力量の合計値を算出し、当該合計値を示す放電可能電力量情報を取得する。なお、各放電装置が、放電可能な電力量を算出し、蓄電情報取得部１１０は、各放電装置から当該放電可能な電力量を取得することで、放電可能電力量情報を算出して取得することにしてもよい。
【０２２４】
また、充電装置についても同様に、蓄電情報取得部１１０は、通信ネットワーク３１０を介して、充電群２２０に含まれる充電装置１〜ｎのそれぞれから、定格容量とＳＯＣとを取得する。例えば、蓄電情報取得部１１０は、充電装置１から、定格容量として「２．０ｋＷｈ」を取得するとともに、ＳＯＣとして「２０％（１０〜９０％）」を取得する。
【０２２５】
そして、蓄電情報取得部１１０は、取得した定格容量とＳＯＣとから、各充電装置が充電可能な電力量を算出する。具体的には、蓄電情報取得部１１０は、定格容量に、ＳＯＣから算出される充電可能な割合を乗じて、各充電装置が充電可能な電力量を算出する。例えば、充電装置１が放電可能な電力量として、蓄電情報取得部１１０は、２．０ｋＷｈ×（９０％−２０％）＝１．４ｋＷｈと算出する。
【０２２６】
そして、蓄電情報取得部１１０は、充電群２２０に含まれる全ての充電装置について、算出した各充電装置が充電可能な電力量を積算することで、各充電装置が充電可能な電力量の合計値を算出し、当該合計値を示す充電可能電力量情報を取得する。なお、各充電装置が、充電可能な電力量を算出し、蓄電情報取得部１１０は、各充電装置から当該充電可能な電力量を取得することで、充電可能電力量情報を算出して取得することにしてもよい。
【０２２７】
また、蓄電情報取得部１１０は、放電装置が固有の放電量まで放電された後に充電装置に切り替わるか否かを示す情報、または充電装置が固有の充電量まで充電された後に放電装置に切り替わるか否かを示す情報である遷移情報を取得する。
【０２２８】
具体的には、蓄電情報取得部１１０は、通信ネットワーク３１０を介して、放電群２１０に含まれる放電装置１〜ｍのそれぞれから、遷移情報を取得する。例えば、蓄電情報取得部１１０は、放電装置１から遷移情報として「充電群」を取得し、また、放電装置２から遷移情報として「不参加群」を取得する。つまり、放電装置１は、放電完了後に充電群２２０に属するように移行し、放電装置２は、放電完了後に不参加群２３０に属するように移行する。
【０２２９】
また、充電装置についても同様に、蓄電情報取得部１１０は、通信ネットワーク３１０を介して、充電群２２０に含まれる充電装置１〜ｎのそれぞれから、遷移情報を取得する。また、蓄電情報取得部１１０は、不参加群２３０に含まれる不参加装置１〜ｐからも、遷移情報を取得する。
【０２３０】
例えば、放電装置が放電を完了して、放電群２１０から他の群に属するように移行すると、放電群２１０に含まれる放電装置の合計出力が減少する。また、充電装置が充電を完了して充電群２２０から放電群２１０に属するように移行する、または不参加装置が不参加群２３０から放電群２１０に属するように移行すると、放電群２１０に含まれる放電装置の合計出力は増加する。充電装置についても同様である。
【０２３１】
このため、蓄電情報取得部１１０が取得する遷移情報を用いて、将来の放電装置または充電装置の電力量の合計値のみならず、将来の放電装置の合計出力または充電装置の合計出力を予測することができる。
【０２３２】
なお、不参加装置の遷移情報には、いつ遷移するのかという時間に関する情報も含まれる。例えば、不参加装置が電気自動車用蓄電池の場合、当該電気自動車が走行を終えて、家庭内のＨＥＭＳ（ホームエネルギーマネジメントシステム）などに接続されると、ＨＥＭＳが電気自動車を検知し、ある一定時間（例えば、１分）経過後に充電群２２０に遷移するという遷移情報を、自動で蓄電情報取得部１１０に送信する。また、ユーザが家電機器等を占有して使用したいなどの理由から蓄電装置を不参加群２３０に参加させていたが、当該ユーザが外出する予定であり、その外出以降は、充電群２２０または放電群２１０に参加させることができる場合には、当該ユーザが、外出予定時刻を遷移情報に含めて、蓄電情報取得部１１０に送信する。これにより、蓄電情報取得部１１０は、不参加装置から、時間に関する情報も含む遷移情報を取得する。
【０２３３】
そして、制御量取得部１２０は、蓄電情報取得部１１０が取得した放電可能電力量情報と充電可能電力量情報と遷移情報とを用いて、放電電力値または充電電力値を取得する。
【０２３４】
図１６は、本実施の形態４に係る制御量取得部１２０が取得する放電電力値または充電電力値を説明する図である。
【０２３５】
具体的には、同図の（ａ）は、電力系統３２０が供給を受ける必要がある電力値、または電力系統３２０が供給する必要がある電力値を示す図である。また、同図の（ｂ）は、制御量取得部１２０が取得する放電電力値または充電電力値を示す図である。
【０２３６】
同図の（ａ）に示すように、電力系統３２０は、系統の需給バランスを維持するために、従来発電機または放電装置から、「Ａ」、「Ｂ」及び「Ｅ」の電力の供給を受ける必要があり、従来発電機または充電装置に、「Ｃ」及び「Ｄ」の電力を供給する必要がある。
【０２３７】
ここで、従来発電機とは、例えば電力会社の保有する火力発電設備や水力発電設備（揚水発電設備を含む）などである。つまり、例えば、火力発電設備や水力発電設備は、従来ＥＭＳからの指令に基づき、出力を調整し、電力系統の需給制御を行う機能を有している。
【０２３８】
このため、まず、制御量取得部１２０は、蓄電情報取得部１１０が取得した放電可能電力量情報と充電可能電力量情報と遷移情報とから、蓄電装置の利用可能時間を把握することで、従来発電機と蓄電装置との制御分担を決定する。
【０２３９】
なお、制御量取得部１２０は、系統運用コストなども用いて、この制御分担の決定を行うことにしてもよい。つまり、制御量取得部１２０は、蓄電装置に需給制御を行わせるために支払う対価（アンシラリーサービス提供の対価）と、火力発電設備などの従来発電機を予備力として待機させておくための費用とを比較して、最も安価となる制御分担を決定することにしてもよい。ここで、当該対価や費用の算出方法は、どのような手法を用いても構わない。
【０２４０】
そして、制御量取得部１２０は、決定した制御分担に応じた放電電力値または充電電力値を取得する。例えば、同図の（ｂ）に示すように、制御量取得部１２０は、「Ａ１」、「Ｂ１」及び「Ｅ１」を放電電力値として取得し、「Ｃ１」及び「Ｄ１」を充電電力値として取得する。なお、「Ａ２」、「Ｂ２」及び「Ｅ２」は、従来発電機が出力を増加させる電力値であり、「Ｃ２」及び「Ｄ２」は、従来発電機が出力を減少させる電力値である。
【０２４１】
以上のように、本発明の実施の形態４に係る蓄電装置制御装置１００によれば、放電装置が放電可能な放電可能電力量情報と、充電装置が充電可能な充電可能電力量情報と、放電装置または充電装置の切り替わり先を示す遷移情報とを取得することで、当該情報を用いて放電電力値または充電電力値を取得する。つまり、放電可能電力量情報と充電可能電力量情報と遷移情報とから、蓄電装置が電力系統３２０の需給制御に利用できる充放電量や充放電時間を把握することができる。このため、当該情報などを用いて、従来発電機と蓄電装置との制御分担の決定を行うことができる。これにより、決定した制御分担に応じた放電電力値または充電電力値を取得することができ、電力系統３２０の需給制御を行うことができる。
【０２４２】
以上、本発明に係る蓄電装置制御装置１００について、上記実施の形態を用いて説明したが、本発明は、これに限定されるものではない。
【０２４３】
つまり、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。また、発明の趣旨を逸脱しない範囲で、上記複数の実施の形態における各構成要素を任意に組み合わせてもよい。
【０２４４】
例えば、本実施の形態では、放電装置は、固有の放電量まで放電された後に、充電装置または不参加装置に切り替わり、充電装置は、固有の充電量まで充電された後に、放電装置または不参加装置に切り替わることとした。しかし、例えば緊急時には、蓄電装置制御装置１００からの指令により、放電装置は、固有の放電量まで放電される前であっても、充電装置に切り替わることもでき、充電装置も同様に、固有の充電量まで充電される前であっても、放電装置に切り替わることもでき、不参加装置は、充電装置または放電装置に切り替わることもできる。また、この場合には、蓄電装置制御装置１００は、制御量や制御回数などを記憶部１５０に記憶することで、対価の算出に利用することができる。つまり、蓄電装置を保有する需要家は、緊急時の制御に見合った対価を得ることができる。また、蓄電装置は、上記緊急時の指令に従わないロック機能を備えていてもよい。
【０２４５】
また、本実施の形態では、充電制御信号が送信される充電装置は、二次電池や電気自動車などの蓄電装置であることとした。しかし、充電制御信号が送信される充電装置は、電力を消費する負荷機器であってもよい。つまり、当該負荷機器が充電制御信号に従って電力を消費することで、アンシラリーサービスを提供することができる。なお、当該負荷機器とは、ヒートポンプなどの冷暖房機器、氷蓄熱装置などの蓄熱装置などである。
【０２４６】
なお、本発明は、このような蓄電装置制御装置または蓄電装置として実現することができるだけでなく、当該蓄電装置制御装置と複数の当該蓄電装置とを備えた蓄電装置制御システムとして実現することもできる。また、このような蓄電装置制御装置または蓄電装置が備える各処理部が行う処理をステップとする蓄電装置制御方法または蓄電方法として実現することもできる。また、蓄電装置制御方法または蓄電方法に含まれる特徴的な処理をコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。また、蓄電装置制御装置または蓄電装置に含まれる特徴的な処理部を備える集積回路として実現したりすることもできる。
【産業上の利用可能性】
【０２４７】
本発明に係る蓄電装置制御装置は、蓄電装置を用いて電力系統の需給制御を行う需給制御装置に適用でき、特に、需給制御専用の蓄電装置を必要とせず、蓄電装置の長寿命化を図ることができる需給制御装置等に適用できる。
【符号の説明】
【０２４８】
１０  蓄電装置制御システム
１００  蓄電装置制御装置
１１０  蓄電情報取得部
１２０  制御量取得部
１３０  制御信号生成部
１４０  制御信号送信部
１５０  記憶部
１５１  蓄電情報テーブル
２００  蓄電装置
２０１ａ〜２０１ｇ  二次電池
２０２ａ〜２０２ｅ  自動車用蓄電池
２１０  放電群
２２０  充電群
２３０  不参加群
２５０  蓄電制御部
２５１  蓄電情報送信部
２５２  制御信号取得部
２５３  充放電信号生成部
２５４  充放電信号送信部
２５５  切替部
２５６  記憶部
２５７  蓄電データテーブル
２６０  蓄電池
３１０  通信ネットワーク
３２０  電力系統
３２１  オフィスビル
３２２、３２３  一般家庭
３２４  工場
４００  従来ＥＭＳ
【図１】
0005560146.tif 000002
【図２】
0005560146.tif 000003
【図３】
0005560146.tif 000004
【図４】
0005560146.tif 000005
【図５】
0005560146.tif 000006
【図６】
0005560146.tif 000007
【図７】
0005560146.tif 000008
【図８】
0005560146.tif 000009
【図９】
0005560146.tif 000010
【図１０】
0005560146.tif 000011
【図１１】
0005560146.tif 000012
【図１２】
0005560146.tif 000013
【図１３】
0005560146.tif 000014
【図１４】
0005560146.tif 000015
【図１５】
0005560146.tif 000016
【図１６】
0005560146.tif 000017